(57)【要約】  少なくとも１つのデータリソース要素（ＲＥ）を含む時間−周波数ミューティングパターンを設定することと、時間−周波数ミューティングパターンを示す情報をユーザ機器に送信することとを含む、ワイヤレス通信の方法が提供される。いくつかの設計例では、時間−周波数ミューティングパターンがミューティンググループを含むよう、複数のリソース要素をミューティンググループにグループ化することによってミューティングパターンが設定される。
2013527670.tif 000002
【特許請求の範囲】
【請求項１】
少なくとも１つのデータリソース要素（ＲＥ）を含む時間−周波数ミューティングパターンを設定することと、
前記時間−周波数ミューティングパターンを示す情報をユーザ機器に送信することと
を備える、ワイヤレス通信の方法。
【請求項２】
前記設定することは、複数のＲＥをミューティンググループにグループ化することを含み、前記時間−周波数ミューティングパターンが前記ミューティンググループを備える、請求項１に記載の方法。
【請求項３】
前記情報を前記送信することは、前記時間−周波数ミューティングパターンを特定するビットマップを送信することを含む、請求項２に記載の方法。
【請求項４】
前記ビットマップは、ミューティンググループの数に等しい数のビットを含み、前記ビットマップ中の各ビットは、ミューティンググループに対応する、請求項３に記載の方法。
【請求項５】
各ミューティンググループは、基準信号パターンに対応するＲＥを含む、請求項２に記載の方法。
【請求項６】
前記基準信号は、チャネル状態情報基準信号（ＣＳＩ−ＲＳ）を含む、請求項５に記載の方法。
【請求項７】
前記ミューティンググループは、すべての可能なＣＳＩ−ＲＳアンテナパターンのサブセットを形成する、請求項６に記載の方法。
【請求項８】
前記ミューティンググループは、固定数のアンテナポートのためのＣＳＩ−ＲＳパターンの組に対応する、請求項５に記載の方法。
【請求項９】
アンテナポートの前記固定数は４である、請求項８に記載の方法。
【請求項１０】
前記基準信号パターンを前記ユーザ機器に送信することをさらに含む、請求項５に記載の方法。
【請求項１１】
前記設定することは、前記基準信号の送信機の電力クラスに基づいて前記時間−周波数ミューティングパターンを設定することを含む、請求項１に記載の方法。
【請求項１２】
前記情報を前記送信することは、ブロードキャストメッセージにおいて前記時間−周波数ミューティングパターンの指示子を送信することを含む、請求項１に記載の方法。
【請求項１３】
前記情報を前記送信することは、ユニキャストメッセージにおいて前記時間−周波数ミューティングパターンの指示子を送信することを含む、請求項１に記載の方法。
【請求項１４】
前記情報を前記送信することは、前記時間−周波数ミューティングパターンを特定するビットマップを送信することを含む、請求項１に記載の方法。
【請求項１５】
前記ビットマップ中の少なくとも１つのビットは、ミューティングされた時間−周波数リソース要素のグループに対応する、請求項１４に記載の方法。
【請求項１６】
前記時間−周波数ミューティングパターン中の少なくとも１つのリソース要素の周囲でレートマッチングすることによって信号を送信することをさらに含む、請求項１に記載の方法。
【請求項１７】
前記時間−周波数ミューティングパターンの中の少なくとも１つのリソース要素をパンクチヤリングすることによって信号を送信することをさらに含む、請求項１に記載の方法。
【請求項１８】
前記情報を前記送信することは、前記時間−周波数ミューティングパターンがサブフレームにわたってどのように変化するかを示す情報を送信することを含む、請求項１に記載の方法。
【請求項１９】
前記時間−周波数ミューティングパターンからの少なくともいくつかの送信リソースは、近隣セルにおいて基準信号の送信に割り当てられた送信リソースと一致する、請求項１に記載の方法。
【請求項２０】
少なくとも１つのデータリソース要素（ＲＥ）を含む時間−周波数ミューティングパターンを設定するための手段と、
前記時間−周波数ミューティングパターンを示す情報をユーザ機器に送信するための手段と、
を備える、ワイヤレス通信のための装置。
【請求項２１】
前記設定するための手段は、複数のＲＥをミューティンググループにグループ化するための手段を含み、前記時間−周波数ミューティングパターンが前記ミューティンググループを含む、請求項２０に記載の装置。
【請求項２２】
前記情報を送信するための前記手段は、前記時間−周波数ミューティングパターンを特定するビットマップを送信するための手段を含む、請求項２０に記載の装置。
【請求項２３】
前記ビットマップは、ミューティンググループの数に等しい数のビットを含み、前記ビットマップ中の各ビットは、ミューティンググループに対応する、請求項２２に記載の装置。
【請求項２４】
各ミューティンググループは、基準信号パターンに対応するＲＥを含む、請求項２１に記載の装置。
【請求項２５】
前記基準信号は、チャネル状態情報基準信号（ＣＳＩ−ＲＳ）を含む、請求項２４に記載の装置。
【請求項２６】
前記ミューティンググループは、すべての可能なＣＳＩ−ＲＳアンテナパターンのサブセットを形成する、請求項２５に記載の装置。
【請求項２７】
前記ミューティンググループは、固定数のアンテナポートのためのＣＳＩ−ＲＳパターンの組に対応する、請求項２６に記載の装置。
【請求項２８】
アンテナポートの前記固定数は４である、請求項２７に記載の装置。
【請求項２９】
前記基準信号パターンを前記ユーザ機器に送信するための手段をさらに含む、請求項２４に記載の装置。
【請求項３０】
前記設定するための手段は、前記基準信号の送信機の電力クラスに基づいて前記時間−周波数ミューティングパターンを設定するための手段を含む、請求項２０に記載の装置。
【請求項３１】
前記情報を送信するための前記手段は、ブロードキャストメッセージにおいて前記時間−周波数ミューティングパターンの指示子を送信するための手段を含む、請求項２０に記載の装置。
【請求項３２】
前記情報を送信するための前記手段は、ユニキャストメッセージにおいて前記時間−周波数ミューティングパターンの指示子を送信するための手段を含む、請求項２０に記載の装置。
【請求項３３】
前記情報を送信するための前記手段は、前記時間−周波数ミューティングパターンを特定するビットマップを送信するための手段を含む、請求項２０に記載の装置。
【請求項３４】
前記ビットマップ中の少なくとも１つのビットは、ミューティングされた時間−周波数リソース要素のグループに対応する、請求項３３に記載の装置。
【請求項３５】
前記時間−周波数ミューティングパターンの中で少なくとも１つのリソース要素の周囲でレートマッチングすることによって信号を送信するための手段をさらに含む、請求項２０に記載の装置。
【請求項３６】
前記時間−周波数ミューティングパターンの中で少なくとも１つのリソース要素をパンクチヤリングすることによって信号を送信するための手段をさらに含む、請求項２０に記載の装置。
【請求項３７】
前記情報を送信するための前記手段は、前記時間−周波数ミューティングパターンがサブフレームにわたってどのように変化するかを示す情報を送信するための手段を含む、請求項２１に記載の装置。
【請求項３８】
前記時間−周波数ミューティングパターンからの少なくともいくつかの送信リソースは、近隣セルにおいて基準信号の送信に割り当てられた送信リソースと一致する、請求項２０に記載の装置。
【請求項３９】
少なくとも１つのデータリソース要素（ＲＥ）を含む時間−周波数ミューティングパターンを設定することと、
ユーザ機器に前記時間−周波数ミューティングパターンを送信することと
を行うように構成された少なくとも１つのプロセッサと、
前記少なくとも１つのプロセッサに結合されたメモリと
を備える、ワイヤレス通信のための装置。
【請求項４０】
前記少なくとも１つのプロセッサが、
前記時間−周波数ミューティングパターン中の少なくとも１つのリソース要素の周囲でレートマッチングすることによって信号を送信することと、
前記時間−周波数ミューティングパターン中の少なくとも１つのリソース要素をパンクチヤリングすることによって信号を送信することと、
のうちの１つを実行するようにさらに構成される、請求項３９に記載の装置。
【請求項４１】
少なくとも１つのデータリソース要素（ＲＥ）を含む時間−周波数ミューティングパターンを設定することと、
前記時間−周波数ミューティングパターンを示す情報をユーザ機器に送信することと
を行うためのコンピュータ実行可能命令を格納するコンピュータ可読媒体を備えるコンピュータプログラム製品。
【請求項４２】
基準信号送信とミューティング動作とに割り当てられたリソースの枠でレートマッチングとパンクチャリングとの動作のうちの１つを実行することによって、データリソース上での前記基準信号送信と前記ミューティング動作とに気づいている第１のユーザ機器にデータを送信することと、
前記基準信号送信と前記ミューティング動作とに割り当てられたリソース上でのデータ送信をパンクチヤリングすることによって、前記基準信号送信と前記ミューティング動作とに気づいていない第２のユーザ機器にデータを送信することと、
を備える、ワイヤレス通信の方法。
【請求項４３】
前記基準信号は、チャネル状態情報基準信号（ＣＳＩ−ＲＳ）を含む、請求項４２に記載の方法。
【請求項４４】
基準信号送信とミューティング動作とに割り当てられたリソースの枠でレートマッチングとパンクチャリングとの動作のうちの１つを実行することによって、データリソース上での前記基準信号送信と前記ミューティング動作とに気づいている第１のユーザ機器にデータを送信するための手段と、
前記基準信号送信と前記ミューティング動作とに割り当てられたリソース上でのデータ送信をパンクチヤリングすることによって、前記基準信号送信と前記ミューティング動作とに気づいていない第２のユーザ機器にデータを送信するための手段と、
を備える、ワイヤレス通信装置。
【請求項４５】
前記基準信号は、チャネル状態情報基準信号（ＣＳＩ−ＲＳ）を含む、請求項４４に記載の装置。
【請求項４６】
基準信号送信とミューティング動作とに割り当てられたリソースを枠でレートマッチングとパンクチャリング動作とのうちの１つを実行することによって、データリソース上での前記基準信号送信と前記ミューティング動作とに気づいている第１のユーザ機器にデータを送信することと、
前記基準信号送信と前記ミューティング動作とに割り当てられたリソース上でのデータ送信をパンクチヤリングすることによって、前記基準信号送信と前記ミューティング動作とに気づいていない第２のユーザ機器にデータを送信することと、
を行うためのコンピュータ実行可能命令を格納するコンピュータ可読媒体を備えるコンピュータプログラム製品。
【請求項４７】
基準信号送信とミューティング動作とに割り当てられたリソースの枠でレートマッチングとパンクチャリングとの動作のうちの１つを実行することによって、データリソース上での前記基準信号送信と前記ミューティング動作とに気づいている第１のユーザ機器にデータを送信することと、
前記基準信号送信と前記ミューティング動作とに割り当てられたリソース上でのデータ送信をパンクチヤリングすることによって、前記基準信号送信と前記ミューティング動作とに気づいていない第２のユーザ機器にデータを送信することと、
を行うように構成された少なくとも１つのプロセッサと、
前記少なくとも１つのプロセッサに結合されたメモリと、
を備える、ワイヤレス通信のための装置。
【請求項４８】
前記基準信号は、チャネル状態情報基準信号（ＣＳＩ−ＲＳ）を含む、請求項４７に記載の装置。
【請求項４９】
ユーザ機器にコードプロファイルを割り付けることと、
前記割り付けられたコードプロファイルに基づくリソースミューティングパターンを、前記ユーザ機器に送信することと、
を備える、ワイヤレス通信方法。
【請求項５０】
前記コードプロファイルは、前記ユーザ機器へのデータ送信のために使用される送信コーディング方式の可能性を示す、請求項４９に記載の方法。
【請求項５１】
前記送信コーディング方式は、空間周波数ブロックコーディング（ＳＦＢＣ）を含む、請求項５０に記載の方法。
【請求項５２】
ユーザ機器にコードプロファイルを割り付けるための手段と、
前記割り付けられたコードプロファイルに基づくリソースミューティングパターンを、前記ユーザ機器に送信するための手段と、
を備える、ワイヤレス通信装置。
【請求項５３】
前記コードプロファイルは、前記ユーザ機器へのデータ送信のために使用される送信コーディング方式の可能性を示す、請求項５２に記載の装置。
【請求項５４】
前記送信コーディング方式は、空間周波数ブロックコーディング（ＳＦＢＣ）を含む、請求項５３に記載の装置。
【請求項５５】
ユーザ機器にコードプロファイルを割り付けることと、
前記割り付けられたコードプロファイルに基づくリソースミューティングパターンを、前記ユーザ機器に送信することと、
を行うためのコンピュータ実行可能命令を格納するコンピュータ可読媒体を備えるコンピュータプログラム製品。
【請求項５６】
ユーザ機器にコードプロファイルを割り付けることと、
前記割り付けられたコードプロファイルに基づくリソースミューティングパターンを、前記ユーザ機器に送信することと、
を行うように構成された少なくとも１つのプロセッサと、
前記少なくとも１つのプロセッサに結合されたメモリと、
を備える、ワイヤレス通信のための装置。
【請求項５７】
前記コードプロファイルは、前記ユーザ機器へのデータ送信のために使用される空間周波数ブロックコーディング（ＳＦＢＣ）方式の可能性を示す、請求項５６に記載の装置。
【請求項５８】
基準信号の送信のために少なくとも１つのデータリソース要素（ＲＥ）を含む時間−周波数パターンを設定することと、
ユニキャストメッセージとブロードキャストメッセージとのうちの１つにおいて、前記時間−周波数パターンを示す情報をユーザ機器に送信することと、
を備える、ワイヤレス通信方法。
【請求項５９】
前記基準信号がチャネル状態情報基準信号（ＣＳＩ−ＲＳ）を含む、請求項５８に記載の方法。
【請求項６０】
基準信号の送信のために少なくとも１つのデータリソース要素（ＲＥ）を含む時間−周波数パターンを設定するための手段と、
ユニキャストメッセージとブロードキャストメッセージとのうちの１つにおいて、前記時間−周波数パターンを示す情報をユーザ機器に送信するための手段と、
を備える、ワイヤレス通信装置。
【請求項６１】
前記基準信号は、チャネル状態情報基準信号（ＣＳＩ−ＲＳ）を含む、請求項６０に記載の装置。
【請求項６２】
基準信号の送信のために少なくとも１つのデータリソース要素（ＲＥ）を含む時間−周波数パターンを設定することと、
ユニキャストメッセージとブロードキャストメッセージとのうちの１つにおいて、前記時間−周波数パターンを示す情報をユーザ機器に送信することと、
を行うためのコンピュータ実行可能命令を格納するコンピュータ可読媒体を備えるコンピュータプログラム製品。
【請求項６３】
前記基準信号は、チャネル状態情報基準信号（ＣＳＩ−ＲＳ）を含む、請求項６２に記載のコンピュータプログラム製品。
【請求項６４】
基準信号の送信のために少なくとも１つのデータリソース要素（ＲＥ）を含む時間−周波数パターンを設定することと、
ユニキャストメッセージとブロードキャストメッセージとのうちの１つにおいて、前記時間−周波数パターンを示す情報をユーザ機器に送信することと、
を行うように構成された少なくとも１つのプロセッサと、
前記少なくとも１つのプロセッサに結合されたメモリと、
を備える、ワイヤレス通信のための装置。
【請求項６５】
前記基準信号は、チャネル状態情報基準信号（ＣＳＩ−ＲＳ）を含む、請求項６４に記載の装置。
【請求項６６】
少なくとも１つのデータリソース要素（ＲＥ）を含む時間−周波数ミューティングパターンに関係する情報を受信することと、
前記時間−周波数ミューティングパターンの中に含まれない送信リソースを使用して少なくとも１つのデータ送信を受信することと、
を備える、ワイヤレス通信の方法。
【請求項６７】
前記情報を前記受信することは、ミューティンググループを含む前記時間−周波数ミューティングパターンに関係する情報を受信することを含む、請求項６６に記載の方法。
【請求項６８】
前記情報を前記受信することは、前記時間−周波数ミューティングパターンを特定するビットマップを受信することをさらに含む、請求項６７に記載の方法。
【請求項６９】
前記ビットマップは、ミューティンググループの数に等しい数のビットを含み、前記ビットマップ中の各ビットがミューティンググループに対応する、請求項６８に記載の方法。
【請求項７０】
各ミューティンググループは、基準信号パターンに対応するＲＥを含む、請求項６７に記載の方法。
【請求項７１】
前記基準信号は、チャネル状態情報基準信号（ＣＳＩ−ＲＳ）を含む、請求項７０に記載の方法。
【請求項７２】
前記ミューティンググループは、すべての可能なＣＳＩ−ＲＳアンテナパターンのサブセットを形成する、請求項７１に記載の方法。
【請求項７３】
前記ミューティンググループは、固定数のアンテナポートのためのＣＳＩ−ＲＳパターンの組に対応する、請求項７２に記載の方法。
【請求項７４】
アンテナポートの前記固定数は４である、請求項７３に記載の方法。
【請求項７５】
前記基準信号パターンを受信することをさらに含む、請求項７０に記載の方法。
【請求項７６】
前記情報を前記受信することは、前記基準信号の送信機の電力クラスに応答する前記時間−周波数ミューティングパターンに関係する前記情報を受信することを含む、請求項６６に記載の方法。
【請求項７７】
前記情報を前記受信することは、ブロードキャストメッセージにおいて前記情報を受信することを含む、請求項６６に記載の方法。
【請求項７８】
前記情報を前記受信することは、ユニキャストメッセージにおいて前記情報を受信することを含む、請求項６６に記載の方法。
【請求項７９】
前記情報を前記受信することは、前記時間−周波数ミューティングパターンを特定するビットマップを受信することを含む、請求項６６に記載の方法。
【請求項８０】
前記ビットマップ中の少なくとも１つのビットは、ミューティングされた時間−周波数リソース要素のグループに対応する、請求項７９に記載の方法。
【請求項８１】
前記データ送信を前記受信することは、前記時間−周波数ミューティングパターンの中の少なくとも１つのリソース要素の周囲でレートマッチングされた前記データ送信を受信することを含む、請求項６６に記載の方法。
【請求項８２】
前記時間−周波数ミューティングパターンの中のＲＥでパンクチヤされた信号を受信することをさらに含む、請求項６６に記載の方法。
【請求項８３】
前記情報を前記受信することは、前記時間−周波数ミューティングパターンがサブフレームにわたってどのように変化するかを示す情報を受信することを含む、請求項６６に記載の方法。
【請求項８４】
少なくとも１つのデータリソース要素（ＲＥ）を含む時間−周波数ミューティングパターンに関係する情報を受信するための手段と、
前記時間−周波数ミューティングパターンの中に含まれない送信リソースを使用して少なくとも１つのデータ送信を受信するための手段と、
を備える、ワイヤレス通信装置。
【請求項８５】
前記情報を受信するための前記手段は、ミューティンググループを含む前記時間−周波数ミューティングパターンに関係する情報を受信するための手段を含む、請求項８４に記載の装置。
【請求項８６】
前記情報を受信するための前記手段は、前記時間−周波数ミューティングパターンを特定するビットマップを受信するための手段をさらに含む、請求項８５に記載の装置。
【請求項８７】
前記ビットマップは、ミューティンググループの数に等しい数のビットを含み、前記ビットマップ中の各ビットがミューティンググループに対応する、請求項８６に記載の装置。
【請求項８８】
各ミューティンググループは、基準信号パターンに対応するＲＥを含む、請求項８５に記載の装置。
【請求項８９】
前記基準信号は、チャネル状態情報基準信号（ＣＳＩ−ＲＳ）を含む、請求項８８に記載の装置。
【請求項９０】
前記ミューティンググループは、すべての可能なＣＳＩ−ＲＳアンテナパターンのサブセットを形成する、請求項８９に記載の装置。
【請求項９１】
前記ミューティンググループは、固定数のアンテナポートのためのＣＳＩ−ＲＳパターンの組に対応する、請求項９０に記載の装置。
【請求項９２】
アンテナポートの前記固定数は４である、請求項９１に記載の装置。
【請求項９３】
前記基準信号パターンを受信するための手段をさらに含む、請求項８４に記載の装置。
【請求項９４】
前記情報を受信するための前記手段は、前記基準信号の送信機の電力クラスに応答する前記時間−周波数ミューティングパターンに関係した前記情報を受信するための手段を含む、請求項８４に記載の装置。
【請求項９５】
前記情報を受信するための前記手段は、ブロードキャストメッセージにおいて前記情報を受信するための手段を含む、請求項８４に記載の装置。
【請求項９６】
前記情報を受信するための前記手段は、ユニキャストメッセージにおいて前記情報を受信するための手段を含む、請求項８４に記載の装置。
【請求項９７】
前記情報を受信するための前記手段は、前記時間−周波数ミューティングパターンを特定するビットマップを受信するための手段を含む、請求項８４に記載の装置。
【請求項９８】
前記ビットマップ中の少なくとも１つのビットは、ミューティングされた時間−周波数リソース要素のグループに対応する、請求項９７に記載の装置。
【請求項９９】
前記データ送信を受信するための前記手段は、前記時間−周波数ミューティングパターン中の少なくとも１つのリソース要素の周囲でレートマッチングされた前記データ送信を受信するための手段を含む、請求項８４に記載の装置。
【請求項１００】
前記時間−周波数ミューティングパターン中のＲＥでパンクチヤされた信号を受信するための手段をさらに含む、請求項８４に記載の装置。
【請求項１０１】
前記情報を受信するための前記手段は、前記時間−周波数ミューティングパターンがサブフレームにわたってどのように変化するかを示す情報を受信するための手段を含む、請求項８４に記載の装置。
【請求項１０２】
少なくとも１つのデータリソース要素（ＲＥ）を含む時間−周波数ミューティングパターンに関係する情報を受信することと、
前記時間−周波数ミューティングパターンの中に含まれない送信リソースを使用して少なくとも１つのデータ送信を受信することと、
を行うためのコンピュータ実行可能命令を格納するコンピュータ可読媒体を備えるコンピュータプログラム製品。
【請求項１０３】
前記データ送信を受信するための前記コンピュータ実行可能命令は、前記時間−周波数ミューティングパターンの中の少なくとも１つのリソース要素の周囲でレートマッチングされた前記データ送信を受信するためのコンピュータ実行可能命令を含む、請求項１０２に記載のコンピュータプログラム製品。
【請求項１０４】
前記コンピュータ可読媒体は、前記時間−周波数ミューティングパターンの中のＲＥでパンクチャされた信号を受信するためのコンピュータ実行可能命令をさらに格納する、請求項１０２に記載のコンピュータプログラム製品。
【請求項１０５】
少なくとも１つのデータリソース要素（ＲＥ）を含む時間−周波数ミューティングパターンに関係する情報を受信することと、
前記時間−周波数ミューティングパターンの中に含まれない送信リソースを使用して少なくとも１つのデータ送信を受信することと、
を行うように構成された少なくとも１つのプロセッサと、
前記少なくとも１つのプロセッサに結合されたメモリと、
を備える、ワイヤレス通信のための装置。
【請求項１０６】
前記少なくとも１つのプロセッサは、前記時間−周波数ミューティングパターンの中の少なくとも１つのリソース要素の周囲でレートマッチングされた前記少なくとも１つのデータ送信を受信するように構成される、請求項１０５に記載の装置。
【請求項１０７】
前記少なくとも１つのプロセッサは、時間−周波数ミューティングパターンの中のＲＥでパンクチヤされた信号を受信するようにさらに構成された、請求項１０５に記載の装置。
【請求項１０８】
基準信号に関係するミューティング情報を受信することと、
前記受信されたミューティング情報に基づいて、スケールファクタを使用してトランスポートブロックサイズを計算することと、
を備える、ワイヤレス通信の方法。
【請求項１０９】
前記基準信号は、チャネル状態情報基準信号（ＣＳＩ−ＲＳ）を含む、請求項１０８に記載の方法。
【請求項１１０】
基準信号に関係するミューティング情報を受信するための手段と、
前記受信されたミューティング情報に基づいて、スケールファクタを使用してトランスポートブロックサイズを計算するための手段と、
を備える、ワイヤレス通信装置。
【請求項１１１】
前記基準信号は、チャネル状態情報基準信号（ＣＳＩ−ＲＳ）を含む、請求項１１０に記載の装置。
【請求項１１２】
基準信号に関係するミューティング情報を受信することと、
前記受信されたミューティング情報に基づいて、スケールファクタを使用してトランスポートブロックサイズを計算することと、
を行うためのコンピュータ実行可能命令を格納するコンピュータ可読媒体を備えるコンピュータプログラム製品。
【請求項１１３】
前記基準信号は、チャネル状態情報基準信号（ＣＳＩ−ＲＳ）を含む、請求項１１２に記載のコンピュータプログラム製品。
【請求項１１４】
基準信号に関係するミューティング情報を受信することと、
前記受信されたミューティング情報に基づいて、スケールファクタを使用してトランスポートブロックサイズを計算することと、
を行うように構成された少なくとも１つのプロセッサと、
前記少なくとも１つのプロセッサに結合されたメモリと、
を備える、ワイヤレス通信のための装置。
【請求項１１５】
前記基準信号は、チャネル状態情報基準信号（ＣＳＩ−ＲＳ）を含む、請求項１１４に記載の装置。
【請求項１１６】
ユニキャストメッセージとブロードキャストメッセージとのうちの１つにおいて、基準信号の送信のための少なくとも１つのリソース要素（ＲＥ）を含む時間−周波数パターンを示す情報を受信することと、
前記少なくとも１つのＲＥにおいて前記基準信号を受信することと、
を備える、ワイヤレス通信方法。
【請求項１１７】
前記基準信号は、チャネル状態情報基準信号（ＣＳＩ−ＲＳ）を含む、請求項１１６に記載の方法。
【請求項１１８】
ユニキャストメッセージとブロードキャストメッセージとのうちの１つにおいて、基準信号の送信のための少なくとも１つのリソース要素（ＲＥ）を含む時間−周波数パターンを示す情報を受信するための手段と、
前記少なくとも１つのＲＥにおいて前記基準信号を受信するための手段と、
を備える、ワイヤレス通信装置。
【請求項１１９】
前記基準信号は、チャネル状態情報基準信号（ＣＳＩ−ＲＳ）を含む、請求項１１８に記載の装置。
【請求項１２０】
ユニキャストメッセージとブロードキャストメッセージとのうちの１つにおいて、基準信号の送信のための少なくとも１つのリソース要素（ＲＥ）を含む時間−周波数パターンを示す情報を受信することと、
前記少なくとも１つのＲＥにおいて前記基準信号を受信することと、
を行うためのコンピュータ実行可能命令を格納するコンピュータ可読媒体を備えるコンピュータプログラム製品。
【請求項１２１】
前記基準信号は、チャネル状態情報基準信号（ＣＳＩ−ＲＳ）を含む、請求項１２０に記載のコンピュータプログラム製品。
【請求項１２２】
ユニキャストメッセージとブロードキャストメッセージとのうちの１つにおいて、基準信号の送信のための少なくとも１つのリソース要素（ＲＥ）を含む時間−周波数パターンを示す情報を受信することと、
前記少なくとも１つのＲＥにおいて前記基準信号を受信することと、
を行うように構成された少なくとも１つのプロセッサと、
前記少なくとも１つのプロセッサに結合されたメモリと、
を備える、ワイヤレス通信のための装置。
【請求項１２３】
前記基準信号は、チャネル状態情報基準信号（ＣＳＩ−ＲＳ）を含む、請求項１２２に記載の装置。
【発明の詳細な説明】
【優先権主張】
【０００１】
本出願は、２０１０年４月６日に出願された「MUTING SCHEME FOR CHANNEL STATE INFORMATION REFERENCE SIGNAL AND SIGNALING THEREOF」と題する米国仮特許出願第６１／３２１，４７３号の優先権の利益を主張し、２０１０年１０月６日に出願された「METHOD AND APPARATUS FOR USING CHANNEL STATE INFORMATION REFERENCE SIGNAL IN WIRELESS COMMUNICATION SYSTEM」と題する米国特許出願第１２／８９９，４４８号の一部継続出願である。
【技術分野】
【０００２】
以下の記載は、一般的にいって、ワイヤレス通信に関し、特に、ワイヤレス通信システムにおけるチャネル状態情報基準信号（channel state information reference signal）の使用に関する。
【背景技術】
【０００３】
ワイヤレス通信システムは、音声、データなど、様々な種類の通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
一般的いって、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（または下りリンク）とは、基地局から端末への通信リンクを指し、逆方向リンク（または上りリンク）とは、端末から基地局への通信リンクを指す。この通信リンクは、単入力単出力、多入力単出力または多入力多出力（ＭＩＭＯ）システムを介して設定され得る。
【０００５】
ＭＩＭＯシステムは、データ伝送のために複数（ＮT）個の送信アンテナと複数（ＮR）個の受信アンテナとを使用する。ＮT個の送信アンテナおよびＮR個の受信アンテナによって形成されたＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用される場合、ＭＩＭＯシステムは改善された性能（たとえば、より高いスループットおよび／またはより大きい信頼性）を与えることができる。
【０００６】
さらに、基地局または端末は、ワイヤレスシステムの性能を維持または改善するために、基準信号を送信することができる。一般的に、基準信号は、経験的に受信機に知られる信号である。受信を行うデバイスは、基準信号を受信し、受信した基準信号に基づいて、いくつかの動作パラメータを変更するか、またはワイヤレス通信のいくつかの動作パラメータを変更するためのフィードバックを生成し得る。ワイヤレスシステムの動作中に、基準信号の有効性は、隣接ネットワークからのデータまたは制御信号の送信、あるいは送信機の異なるアンテナからの送信などの干渉信号の存在下で減殺され得る。さらに、新しい基準信号は、従来の端末がデータ送信を期待している可能性がある送信のリソースを使用して送信され得る。
【発明の概要】
【０００７】
概略で、一般的な観点でいえば、本開示の設計例は、ワイヤレス通信ネットワークにおけるチャネル状態情報基準信号（ＣＳＩ−ＲＳ）とミューティングされた（弱められた）リソース要素との使用のための方法および装置を提供する。
【０００８】
以下で、そのような技法および実施形態の基本的理解を与えるために、１つまたは複数の実施形態の簡略化された概要を提示する。この概要は、すべての意図される実施形態の包括的な概観ではなく、すべての実施形態の主要または重要な要素を特定するものでも、いずれかまたはすべての実施形態の範囲を定めるものでもない。その唯一の目的は、後で提示されるより詳細な説明への導入として、１つまたは複数の実施形態のいくつかの概念を簡略化された形で提示することである。
【０００９】
一態様では、ワイヤレス通信の方法は、少なくとも１つのデータリソース要素（ＲＥ）を含む時間−周波数ミューティングパターンを設定することと、時間−周波数ミューティングパターンを示す情報をユーザ機器に送信することとを含む。
【００１０】
他の態様では、ワイヤレス通信のための装置は、少なくとも１つのデータリソース要素（ＲＥ）を含む時間−周波数ミューティングパターンを設定するための手段と、時間−周波数ミューティングパターンを示す情報をユーザ機器に送信するための手段とを含む。
【００１１】
さらに他の態様では、コンピュータ実行可能命令を格納するコンピュータ可読媒体を備えるコンピュータプログラム製品が開示される。命令は、少なくとも１つのデータリソース要素（ＲＥ）を含む時間−周波数ミューティングパターンを設定することと、時間−周波数ミューティングパターンを示す情報をユーザ機器に送信することとを行うためのコードを含み得る。
【００１２】
さらに他の態様では、ワイヤレス通信のための装置は、少なくとも１つのプロセッサと、少なくとも１つのプロセッサに結合されたメモリとを含む。プロセッサは、少なくとも１つのデータリソース要素（ＲＥ）を含む時間−周波数ミューティングパターンを設定することと、時間−周波数ミューティングパターンを示す情報をユーザ機器に送信することとを行うように構成される。
【００１３】
さらに他の態様では、ワイヤレス通信方法は、基準信号送信とミューティング動作に割り当てられたリソースの枠でのレートマッチングとパンクチャリングとの動作のうちの１つを実行することによって、データリソース上の基準信号送信とミューティング動作とに気づいている第１のユーザ機器にデータを送信することと、基準信号送信に割り当てられたリソース上でのデータ送信とミューティング動作をパンクチャリングすることとによって、基準信号送信とミューティング動作とに気づいていない第２のユーザ機器にデータを送信することとを含む。
【００１４】
さらに他の態様では、ワイヤレス通信装置は、基準信号送信とミューティング動作とに割り当てられたリソースの枠でレートマッチングとパンクチャリングとの動作のうちの１つを実行することによって、データリソース上の基準信号送信とミューティング動作とに気づいている第１のユーザ機器にデータを送信するための手段と、基準信号送信とミューティング動作とに割り当てられたリソース上のデータ送信をパンクチャリングすることによって、基準信号送信とミューティング動作とに気づいていない第２のユーザ機器にデータを送信するための手段とを含む。
【００１５】
さらに他の態様では、コンピュータ実行可能命令を格納するコンピュータ可読媒体を備えるコンピュータプログラム製品が開示される。命令は、基準信号送信とミューティング動作とに割り当てられたリソースの枠でレートマッチングとパンクチャリングとの動作のうちの１つを実行することによって、データリソース上の基準信号送信とミューティング動作とに気づいている第１のユーザ機器にデータを送信することと、基準信号送信とミューティング動作とに割り当てられたリソース上のデータ送信をパンクチヤリングすることによって、基準信号送信とミューティング動作とに気づいていない第２のユーザ機器にデータを送信することとを行うためのコードを含み得る。
【００１６】
さらに他の態様では、ワイヤレス通信方法は、ユーザ機器にコードプロファイルを割り付けることと、割り付けられたコードプロファイルに基づいてユーザ機器にリソースミューティングパターンを送信することとを含む。
【００１７】
さらに他の態様では、ワイヤレス通信装置は、ユーザ機器にコードプロファイルを割り付けるための手段と、割り付けられたコードプロファイルに基づいてユーザ機器にリソースミューティングパターンを送信するための手段とを含む。
【００１８】
さらに他の態様では、ワイヤレス通信方法は、少なくとも１つのデータリソース要素（ＲＥ）を含む時間−周波数ミューティングパターンに関係する情報を受信することと、時間−周波数ミューティングパターン中に含まれない送信リソースを使用して少なくとも１つのデータ送信を受信することとを含む。
【００１９】
さらに他の態様では、ワイヤレス通信方法は、基準信号に関係するミューティング情報を受信することと、受信されたミューティング情報に基づくスケールファクタを使用してトランスポートブロックサイズを計算することとを含む。
【００２０】
さらに他の態様では、ワイヤレス通信装置は、基準信号に関係するミューティング情報を受信するための手段と、受信されたミューティング情報に基づくスケールファクタを使用してトランスポートブロックサイズを計算するための手段とを含む。
【００２１】
さらに他の態様では、ワイヤレス通信の方法は、基準信号の送信のために少なくとも１つのデータリソース要素（ＲＥ）を含む時間−周波数パターンを設定することと、ユニキャストメッセージとブロードキャストメッセージとのうちの１つの中で、時間−周波数パターンを示す情報をユーザ機器に送信することとを含む。
【００２２】
さらに他の態様では、ワイヤレス通信装置は、基準信号の送信のために少なくとも１つのデータリソース要素（ＲＥ）を含む時間−周波数パターンを設定するための手段と、ユニキャストメッセージとブロードキャストメッセージとのうちの１つの中で、時間−周波数パターンを示す情報をユーザ機器に送信するための手段とを含む。
【００２３】
さらに他の態様では、ワイヤレス通信の方法は、ユニキャストメッセージとブロードキャストメッセージとのうちの１つの中で、基準信号の送信のための少なくとも１つのリソース要素（ＲＥ）を含む時間−周波数パターンを示す情報を受信することと、少なくとも１つのＲＥ中の基準信号を受信することとを含む。
【００２４】
さらに他の態様では、ワイヤレス通信装置は、ユニキャストメッセージとブロードキャストメッセージとのうちの１つの中で、基準信号の送信のための少なくとも１つのリソース要素（ＲＥ）を含む時間−周波数パターンを示す情報を受信するための手段と、少なくとも１つのＲＥ中の基準信号を受信するための手段とを含む。
【００２５】
本開示の特徴、本質、および利点は、全体を通じて同様の参照符号が同様のものを指す図面と関連付けて考慮されるとき、以下に記載する詳細な説明からより明らかになろう。
【図面の簡単な説明】
【００２６】
【図１】図１は、一実施形態による多元接続ワイヤレス通信システムを示す図である。
【図２】図２は、通信システムのブロック図である。
【図３Ａ】図３Ａは、ワイヤレス通信システムにおいて使用される２つの隣接するリソースブロック（resource block）を示すブロック図である。
【図３Ｂ】図３Ｂは、２つのチャネル状態情報基準信号（channel state information reference signal (CSI-RS)）ポートを備えるワイヤレス通信システムにおいて使用されるリソースパターンを示すブロック図である。
【図３Ｃ】図３Ｃは、４つのチャネル状態情報基準信号（ＣＳＩ−ＲＳ）ポートを備えるワイヤレス通信システムにおいて使用されるリソースブロックを示すブロック図である。
【図３Ｄ】図３Ｄは、８つのチャネル状態情報基準信号（ＣＳＩ−ＲＳ）ポートを備えるワイヤレス通信システムにおいて使用されるリソースブロックを示すブロック図である。
【図４】図４は、ワイヤレス通信システムにおいて使用されるリソースブロックのブロックを示す図である。
【図５】図５は、ワイヤレス通信システムにおいて使用されるデータ割り当てパターンのを示すブロック図である。
【図６】図６は、ワイヤレス通信のためのプロセスを示すフローチャートである。
【図７】図７は、ワイヤレス通信装置の一部分を示すブロック図である。
【図８】図８は、ワイヤレス通信のためのプロセスを示すフローチャートである。
【図９】図９は、ワイヤレス通信装置の一部分を示すブロック図である。
【図１０】図１０は、ワイヤレス通信のためのプロセスを示すフローチャートである。
【図１１】図１１は、ワイヤレス通信装置の一部分を示すブロック図である。
【図１２】図１２は、ワイヤレス通信のためのプロセスを示すフローチャートである。
【図１３】図１３は、ワイヤレス通信装置の一部分を示すブロック図である。
【図１４】図１４は、ワイヤレス通信のためのプロセスを示すフローチャートである。
【図１５】図１８は、ワイヤレス通信装置の一部分を示すブロック図である。
【図１６】図１６は、ワイヤレス通信のためのプロセスを示すフローチャートである。
【図１７】図１７は、ワイヤレス通信装置の一部分を示すブロック図である。
【図１８】図１８は、ワイヤレス通信のためのプロセスを示すフローチャートである。
【図１９】図１９は、ワイヤレス通信装置の一部分を示すブロック図である。
【図２０】図２０は、ワイヤレス通信のためのプロセスを示すフローチャートである。
【図２１】図２１は、ワイヤレス通信装置の一部分を示すブロック図である。
【図２２】図２２、ワイヤレス通信のためのプロセスを示すフローチャートである。
【図２３】図２３は、ワイヤレス通信装置の一部分を示すブロック図である。
【図２４】図２４は、この中に記載される態様にしたがって、ＣＳＩ−ＲＳのミューティングと、（１つまたは複数の）ミューティング方式またはパターンを搬送するシグナリングを可能にし、実施することができるシステムのハイレベルブロック図である。
【図２５】図２５は、この中に記載される態様にしたがって、（ｉ）リレーノードとユーザ機器との間のインターフェースのための無線ベアラ、および（ｉｉ）リレーノードとドナー基地局との間のインターフェースのためのデータ無線ベアラのマッピングを更新するための方法のフローチャートである。
【図２６】図２６は、本開示の様々な態様を可能にし、実施するシステムのブロック図である。
【詳細な説明】
【００２７】
次に、図面を参照しながら様々な態様について説明する。以下の記載では、説明の目的で、いくつかの具体的な詳細が、１つまたは複数の態様の十分な理解を与えるために記載される。ただし、様々な態様は、これらの具体的な詳細がなくても実施され得ることは明らかである。他の例では、これらの態様の説明を容易にするために、よく知られている構造およびデバイスはブロック図の形態で示される。
【００２８】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）および低チップレート（ＬＣＲ）を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、Ｅｖｏｌｖｅｄ  ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。明快のために、本技法のいくつかの態様について以下ではＬＴＥに関して説明し、以下の説明の大部分でＬＴＥ用語を使用する。
【００２９】
シングルキャリア周波数分割多元接続（ＳＣ−ＦＤＭＡ）は、シングルキャリア変調および周波数領域等化を利用する。ＳＣ−ＦＤＭＡ信号は、その固有のシングルキャリア構造ゆえに、より低いピーク対平均電力比（ＰＡＰＲ）を有する。ＳＣ−ＦＤＭＡは、特に、より低いＰＡＰＲが送信電力効率の点でモバイル端末に大幅な利益を与える上りリンク通信において、大きな注目を引いている。それは、ＬＴＥにおける上りリンク多元接続方式のために使用される。
【００３０】
明瞭のために、以下の主題については、ＬＴＥにおいて使用される信号およびメッセージフォーマットの具体的な例について、ならびに、チャネル状態情報基準信号（channel state information reference signal (CSI-RS)）およびミューティング（muting）技術について説明されることに留意されたい。ただし、開示された本技法の他の通信システムおよび他の基準信号送信／受信技術への適用性を、当技術において技量を有する者には理解されよう。
【００３１】
さらに、図３Ａないし図３Ｄ、および図４には、送信リソースブロック（resource block (RB)）中の利用可能なリソースの２次元プロットが、水平方向に沿ったシンボル（または時間）と垂直方向に沿った周波数（またはサブキャリアインデックス）とを用いて示されている、リソースブロックマップ技法を使用して、アンテナポートと送信リソース割り付けとの様々な組合せが示される。さらに、明瞭のために、図示された各ＲＢ中のリソース要素（resource element (RE)）は、単にアンテナの論理グルーピングを表す、対応するアンテナポートグループ／アンテナインデックスを付けられている。ただし、アルファベットシーケンスおよび数を使用した列挙は、説明の明瞭化のためのものにすぎず、デバイス上の実際のアンテナ構成との関係を持っていても持っていなくてもよいことを理解されたい。
【００３２】
図１は、ＬＴＥシステムまたは何らかの他のシステムであり得る、ワイヤレス通信システム１００を示す。システム１００は、いくつかの進化型ノードＢ（ｅＮＢ）１１０および他のネットワーク構成体を含み得る。ｅＮＢは、ＵＥと通信する構成体であり得、基地局、ノードＢ、アクセスポイントなどとも呼ばれることがある。各ｅＮＢ１１０は、特定の地理的エリアに対して通信カバレージを提供し得、カバレージエリア内に位置するユーザ機器（user equipment (UE)）のための通信をサポートし得る。容量を改善するために、ｅＮＢの全体的なカバレージエリアは複数（たとえば、３つ）のより小さいエリアに区分され得る。より小さいエリアの各々は、それぞれのｅＮＢサブシステムによってサービスされ得る。３ＧＰＰでは、「セル」という用語は、このカバレージエリアにサービスしているｅＮＢ１１０および／またはｅＮＢサブシステムの最小カバレージエリアを指すことがある。
【００３３】
ＵＥ１２０はシステム全体に分散され得、各ＵＥ１２０は固定またはモバイルであり得る。ＵＥは、移動局、端末、アクセス端末、加入者ユニット、局などとも呼ばれることがある。ＵＥ１２０は、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブック、タブレットなどであり得る。
【００３４】
ＬＴＥは、下りリンク上では直交周波数分割多重（ＯＦＤＭ）を利用し、上りリンク上ではシングルキャリア周波数分割多重（ＳＣ−ＦＤＭ）を利用する。ＯＦＤＭおよびＳＣ−ＦＤＭは、周波数レンジを、一般にトーン、ビンなどとも呼ばれる複数（Ｋs個）の直交サブキャリアに分割する。各サブキャリアはデータで変調され得る。一般に、変調シンボルは、ＯＦＤＭでは周波数領域で、ＳＣ−ＦＤＭでは時間領域で送信される。隣接するサブキャリア間の間隔は固定であり得、サブキャリアの総数（Ｋs）はシステム帯域幅に依存する。たとえば、Ｋsは、それぞれ１．２５、２．５、５、１０または２０メガヘルツ（ＭＨｚ）のシステム帯域幅に対して１２８、２５６、５１２、１０２４または２０４８に等しくてよい。システム帯域幅はＫs個の全サブキャリアのサブセットに対応し得る。
【００３５】
図２に、図１のｅＮＢのうちの１つであり得る例示的な基地局／ｅＮＢ１１０、および図１のＵＥのうちの１つであり得るＵＥ１２０の設計例のブロック図を示す。ＵＥ１２０はＴ個のアンテナ１２３４ａないし１２３４ｔを装備し得、基地局１１０はＲ個のアンテナ１２５２ａないし１２５２ｒを装備し得、一般にＴ≧１およびＲ≧１である。
【００３６】
ＵＥ１２０において、送信プロセッサ１２２０は、データソース１２１２からデータを受信し、コントローラ／プロセッサ１２４０から制御情報を受信し得る。送信プロセッサ１２２０は、データと制御情報とを処理（たとえば、符号化、インターリーブ、およびシンボルマッピング）し得、それぞれデータシンボルと制御シンボルとを与え得る。送信プロセッサ１２２０はまた、ＵＥ１２０に割り付けられた１つまたは複数のＲＳシーケンスに基づいて複数の不連続クラスタのための１つまたは複数の復調基準信号を生成し得、基準シンボルを与え得る。送信（ＴＸ）多入力多出力（ＭＩＭＯ）プロセッサ１２３０は、適用可能な場合、送信プロセッサ１２２０からのデータシンボル、制御シンボル、および／または基準シンボルの上で空間処理（たとえば、プリコーディング）を実行し得、Ｔ個の出力シンボルストリームをＴ個の変調器（ＭＯＤ）１２３２ａないし１２３２ｔに与え得る。各変調器１２３２は、（たとえば、ＳＣ−ＦＤＭＡ、ＯＦＤＭなどの）それぞれの出力シンボルストリームを処理して出力サンプルストリームを取得し得る。各変調器１２３２は、上りリンク信号を取得するために出力サンプルストリームをさらに処理（たとえば、アナログへの変換、増幅、フィルタ処理、およびアップコンバート）し得る。変調器１２３２ａないし１２３２ｔからのＴ個の上りリンク信号は、それぞれＴ個のアンテナ１２３４ａないし１２３４ｔを介して送信され得る。
【００３７】
基地局１１０において、アンテナ１２５２ａないし１２５２ｒは、ＵＥ１２０から上りリンク信号を受信し、受信信号をそれぞれ復調器（ＤＥＭＯＤ）１２５４ａないし１２５４ｒに与え得る。各復調器１２５４は、それぞれの受信信号を調整（たとえば、フィルタ処理、増幅、ダウンコンバート、およびデジタル化）して、受信サンプルを取得し得る。各復調器１２５４は、さらに受信サンプルを処理して受信シンボルを取得し得る。チャネルプロセッサ／ＭＩＭＯ検出器１２５６は、すべてのＲ個の復調器１２５４ａないし１２５４ｒから受信シンボルを取得し得る。チャネルプロセッサ１２５６は、ＵＥ１２０から受信された復調基準信号に基づいて、ＵＥ１２０から基地局１１０へのワイヤレスチャネルのチャネル推定値を導出し得る。ＭＩＭＯ検出器１２５６は、チャネル推定値に基づいて受信シンボルに対してＭＩＭＯ検出／復調を実行し得、検出されたシンボルを与え得る。受信プロセッサ１２５８は、検出されたシンボルを処理（たとえば、シンボルデマッピング、デインターリーブ、および復号）し、復号されたデータをデータシンク１２６０に与え、復号された制御情報をコントローラ／プロセッサ１２８０に与え得る。
【００３８】
下りリンク上では、基地局１１０において、データソース１２６２からのデータと、コントローラ／プロセッサ１２８０からの制御情報とは、送信プロセッサ１２６４によって処理され、適用可能な場合はＴＸ  ＭＩＭＯプロセッサ１２６６によってプリコードされ、変調器１２５４ａないし１２５４ｒによって調整され、ＵＥ１２０に送信され得る。ＵＥ１２０において、基地局１１０からの下りリンク信号は、アンテナ１２３４によって受信され、復調器１２３２によって調整され、チャネル推定器／ＭＩＭＯ検出器１２３６によって処理され、受信プロセッサ１２３８によってさらに処理されて、ＵＥ１２０に送られたデータおよび制御情報を取得し得る。プロセッサ１２３８は、復号されたデータをデータシンク１２３９に与え、復号された制御情報をコントローラ／プロセッサ１２４０に与え得る。
【００３９】
コントローラ／プロセッサ１２４０および１２８０は、それぞれＵＥ１２０および基地局１１０における動作を指示する。ＵＥ１２０におけるプロセッサ１２２０、プロセッサ１２４０、および／または他のプロセッサおよびモジュールは、図１２のプロセス１２００、図１４のプロセス１４００、および／またはこの中に記載される技法のための他のプロセスを実行または指示し得る。基地局１１０におけるプロセッサ１２５６、プロセッサ１２８０、および／または他のプロセッサおよびモジュールは、図６、図８または図１０のプロセス６００、８００または１０００、および／または本明細書で説明する技法のための他のプロセスを実行または指示し得る。メモリ１２４２および１２８２は、それぞれＵＥ１２０および基地局１１０のためのデータおよびプログラムコードを格納し得る。スケジューラ１２８４は、下りリンクおよび／または上りリンク送信についてＵＥをスケジュールし得、スケジュールされたＵＥのリソースの割り当て（たとえば、複数の不連続クラスタ、復調基準信号のためのＲＳシーケンスの割り付けなど）を行い得る。
【００４０】
ＬＴＥ  Ａｄｖａｎｃｅｄ（ＬＴＥ−Ａ）では、２つの新しいタイプの基準信号が導入されている。第１の基準信号は、データ復調のためにデータとともに送られるユーザ機器基準信号（user equipment reference signal (UE-RS)）と呼ばれ、したがって、時には復調基準信号（demodulation reference signal (DM-RS)）とも呼ばれており、そして、間欠的に送信され、ＣＳＩフィードバック計算のためにＬＴＥ−Ａユーザ機器（ＵＥ）によって使用され得る、チャネル状態情報基準信号（ＣＳＩ−ＲＳ）である。
【００４１】
図３Ａは、いくつかの設計例では、ＣＳＩ−ＲＳに割り付けられたＲＥを示す、２つの隣接するリソースブロックを示すブロック図３００である。割り当てられたＲＥは、アンテナポートのグループを表すアルファベット（ａ、ｂ、ｃ、ｄ、ｅまたはｆ）と、アンテナポートインデックスを表す数（１ないし８）との２文字の組合せを使用して符号づけされる。８つの送信アンテナポート（８つのＴｘ）をもつ基地局は、グループ「ａ」ないし「ｆ」のうちの１つを選択し、残りのＣＳＩ−ＲＳ  ＲＥをデータ送信のために使用し得る。図３Ａに示すＲＥ割り付けパターンは、それぞれ８個のＴｘアンテナをもつ６つの異なるｅＮＢ１１０の直交多重化を可能にする（各ｅＮＢ１１０は６つのグループ「ａ」ないし「ｆ」のうちの１つを使用する）。この設計例は、ＣＳＩ−ＲＳのために１つのＲＥ／ＲＢのリソース密度が使用されることを仮定している。いくつかのＲＥがＣＳＩ−ＲＳの送信のために利用可能でないことがあることに留意されたい。利用できないＲＥは、たとえば、図３Ａにおいてアルファベット「Ｃ」で示されたセル固有基準信号（ＣＲＳ）に割り当てられたＲＥ３０２、および図３Ａにおいてアルファベット「Ｕ」で示されたユーザ機器基準信号（ＵＥ−ＲＳ）に割り当てられたＲＥ３０４を含む。
【００４２】
次に図３Ｂないし図３Ｄを参照すると、ＬＴＥ  Ｒｅｌ１０において使用される、ＣＳＩ−ＲＳ信号へのＲＥ割り付けのいくつかの例が示されている。図３Ｂ、図３Ｃおよび図３Ｄにおいて、「Ｃ」で示されたＲＥは、ＣＲＳに割り当てられたＲＥを表し、「Ｕ」で示されたＲＥは、ＵＥ−ＲＳに割り当てられたＲＥを表し得る。
【００４３】
図３Ｂは、フレーム構造（ＦＳ：frame structure）ＦＳ１とＦＳ２の両方のための、ノーマルサイクリックプレフィックス（ＣＰ：cyclic prefix）サブフレーム中の２つのＣＳＩ−ＲＳポートの場合に関する、ＣＳＩ−ＲＳへのＲＥパターン割り付けを示す、ＲＢ３２０のブロック図である。
【００４４】
図３Ｃは、フレーム構造（ＦＳ）ＦＳ１とＦＳ２の両方のための、ノーマルサイクリックプレフィックス（ＣＰ）サブフレーム中の４つのＣＳＩ−ＲＳポートの場合のＣＳＩ−ＲＳへのＲＥパターン割り付けを示す、ＲＢ３４０のブロック図示である。
【００４５】
図３Ｄは、フレーム構造（ＦＳ）ＦＳ１とＦＳ２の両方のための、ノーマルサイクリックプレフィックス（ＣＰ）サブフレーム中の８つのＣＳＩ−ＲＳポートの場合のＣＳＩ−ＲＳへのＲＥパターン割り付けを示す、ＲＢ３６０のブロック図示である。
【００４６】
図４に、ＣＳＩ−ＲＳの送信へのＲＥの割り当てのために使用される他のリソース割り当てパターン４００を示す。リソース割り当てパターン４００は、ＣＲＳに割り当てられたＲＥ３０２と、ＵＥ−ＲＳに割り当てられたＲＥ３０４とを示す。残りのＲＥのうち、ＣＳＩ−ＲＳ送信のために利用可能なＲＥは、４つのポートアンテナ「ａ」ないし「ｍ」に割り当てられる。リソース割り当てパターン３００および４００は例示的な目的のためのみであり、いかなる形でも本技術を限定しないことを認識される。リソース割り当てパターン３００および４００は、所与のセルにおけるＣＳＩ−ＲＳの送信のためのＲＥの割り当てを示しているが、すべての可能なＣＳＩ−ＲＥのサブセットのみが、実際のＣＳＩ−ＲＳ送信のために利用され得ることがさらに理解される。以下でさらに説明するように、残りの利用されないＲＥは、データ送信のために使用され得るか、またはミューティングされ得るかのいずれかである。
【００４７】
いくつかの設計例では、ＣＳＩ−ＲＳは、サブフレームの物理下りリンク共有チャネル（ＰＤＳＣＨ）領域において送信され得る。いくつかの設計例では、ＣＳＩ−ＲＳ送信は広帯域であり、通常、帯域幅（bandwidth (BW)）全体にわたり得る。いくつかのシステムでは、ＣＳＩ−ＲＳ密度は、アンテナポートについて、リソースブロック（ＲＢ）当たり１つのリソース要素（ＲＥ）となるように選定され得る。このリソース密度は、一態様では、ＵＥ１２０が（セルＡと呼ばれる）セルに対応して、最も強く受信される信号をもつｅＮＢ１１０へのチャネルを測定しなければならない適用例のために、十分なチャネル推定品質を与え得る。しかしながら、ＬＴＥ−Ａの将来の変更では、ＵＥ１２０は、受信だれる電力がセルＡのｅＮＢ１１０の受信電力よりも低い近隣セルのチャネルを推定する必要があり得る。たとえば、レンジ拡大（Range Extension）を採用する異種ネットワーク（heterogeneous networks (HetNets)）、限定加入者グループ（closed subscriber group (CSG)）セルをもつＨｅｔＮｅｔ、あるいは連携送信または協調ビームフォーミングなどの多地点協調（cooperative multi-point (CoMP)）方式を採用するネットワークでは、ＵＥ１２０は、受信したｅＮＢ１１０の送信がセルＡのｅＮＢ１１０の送信よりも弱いことのあるセルのチャネルを推定する必要がある。
【００４８】
いくつかの設計例では、最も強く受信される電力をもつセル（セルＡ）は、（１つまたは複数の）より弱いセルのＣＳＩ−ＲＳ  ＲＥに対応して、ＣＳＩ−ＲＳ  ＲＥをミューティングする（mute：消す、弱める）ことができる。言い換えれば、セルＡのｅＮＢ１１０は、関与のあるより弱いセルのＣＳＩ−ＲＳ  ＲＥ上で、データ（または他の信号）を送信することを抑え得る。したがって、いくつかの設計例では、１つのセルにおいて割り当てられた（以下でさらに説明する）ミューティングパターンは、近隣セルにおける基準信号送信に割り当てられた送信リソースと一致し得る。
【００４９】
ＵＥ１２０の観点からいえば、ミューティングは、欲しない他の送信（たとえば、セルＡからのデータ送信）から欲するＣＳＩ−ＲＳ信号への干渉を低減するのを助け得る一方で、ミューティングは、そうでなければデータが送信されたであろうＲＥにおいてデータを「失う」ことにもなり得る。したがって、いくつかの設計例では、データ送信におけるミューティングされたＲＥの、可能性のある不利益となる影響を克服するためのストラテジが、ｅＮＢ１１０および／またはＵＥ１２０において使用され得る。
【００５０】
いくつかの設計例では、ｅＮＢ１１０は、ミューティングに気づいているＵＥ１２０のために、ミューティングされたトーンの周囲でレートマッチング（ビット数の調節）し得る。代替的に、いくつかの設計例では、ｅＮＢ１１０は、ミューティングされたトーンを単にパンクチャ（puncture：間引き）し得る。いくつかの設計例では、レートマッチングが実行されるのかまたはパンクチャリングが実行されるのかに関する情報が、ミューティング動作に気づいているＵＥ１２０に搬送され得る。いくつかの設計例では、ミューティングに気づいていないＵＥ１２０がワイヤレスネットワーク中で動作してもよい。ミューティングに気づいていないそのようなＵＥ１２０の場合、ｅＮＢ１１０は、データトーンを単にパンクチャし得る。いくつかの設計例では、ミューティング動作に気づいていないＵＥ１２０を含む１つよりも多いＵＥによって送信が受信されることになっているとき、ＵＥ１２０へのデータ送信のためにパンクチャリングが使用され得る。
【００５１】
図５を参照すると、ワイヤレス通信システムにおいて使用される、２つの例示的なリソースパターン５０１および５０２のブロック図が示されている。明瞭のために、単一のＲＢ内の単一のシンボルに対応する１２個のＲＥのみが示されている。
【００５２】
いくつかの設計例では、リソースパターン５０１に示されているように、データ変調シンボルは、一般性を失うことなしで、リソースパターン５０１の上部から開始し、順次リソースパターン５０１の下部に向かって、次の利用可能な各データＲＥに変調シンボルを割り当てることによって、サブキャリアに割り当てられ得る。図示された例では、最初の２つのデータ変調シンボルｂ１およびｂ２は、ＲＥ５０３および５０５に割り付けられる。しかしながら、どのデータ変調シンボルも、ミューティングされた（またはＣＳＩ−ＲＳ送信に割り付けられた）ＲＥ５０７および５０９における送信のためには割り当てられない。そして、次のデータ変調シンボルｂ３ないしｂ１０は、リソースパターン５０１の中の残りのＲＥに順次割り当てられる。したがって、データ変調シンボルｂ１ないしｂ１０は、ミューティングされたＲＥの周りのレートマッチングによってＲＥに割り当てられることが理解される。図５には示されていないが、次の変調シンボルｂ１１、ｂ１２は、同じＯＦＤＭシンボルの次に割り当てられるデータＲＢの中の、またはデータが送信されるべき次のシンボルの中の上部ＲＥから開始して、割り当てられ得ることが理解される。
【００５３】
いくつかの設計例では、リソースパターン５０２に示されるように、データ変調モジュールは、一般性を失うことなしで、リソースパターン５０２の上部から開始し、順次リソースパターン５０２の下部に向かって、次に利用可能な各データＲＥに変調シンボルを割り当てることによって、サブキャリアに割り当てられ得る。図示された例では、最初の２つのデータ変調シンボルｂ１およびｂ２は、ＲＥ５０４および５０６に割り付けられる。しかしながら、どのデータ変調シンボルも、ミューティングされた（またはＣＳＩ−ＲＳ送信に割り当てられた）ＲＥ５０８および５１０における送信のために割り当てられない。ミューティングされたＲＥ５０８、５１０に割り当てられたであろう変調シンボルｂ３およびｂ４は、どの送信リソースも割り当てられない。そして、次のデータ変調シンボルｂ５ないしｂ１２は、リソースパターン５０２の中の残りのＲＥに順次割り当てられる。したがって、リソースパターン５０２では、送信されたデータ変調シンボルは、ミューティングされたＲＥ（またはＣＳＩ−ＲＳ  ＲＥ）の位置でパンクチャされる。
【００５４】
いくつかの設計例では、ｅＮＢ１１０は、ＵＥ１２０にＣＳＩ−ＲＳパターンとミューティングパターンとをシグナリングし得る。ＣＳＩ−ＲＳパターンは、すべての可能なＣＳＩ−ＲＳ  ＲＥからのどのＲＥがｅＮＢ１１０によってＣＳＩ−ＲＳ送信のために使用されているかに関する情報をＵＥ１２０に与え得る。ミューティングパターンは、すべての可能なＣＳＩ−ＲＳ  ＲＥからのどのＲＥがｅＮＢ１１０によってミューティングされるか（すなわち、信号が送信されないか）に関する情報をＵＥ１２０に与え得る。いくつかの設計例では、ｅＮＢ１１０はまた、ＵＥ１２０にＣＳＩ−ＲＳポートの数とミューティングされたトーンの数とをシグナリングし得る。いくつかの設計例では、ミューティングパターンまたはＣＳＩ−ＲＳパターンのシグナリングは、無線リソース制御（ＲＲＣ）シグナリングなどの上位レイヤメッセージを送信することによってＵＥ１２０に送信され得る。いくつかの設計例では、ミューティングパターン情報またはＣＳＩ−ＲＳパターン情報は、システム情報ブロック（ＳＩＢ）などのブロードキャストチャネル中に含められ得る。いくつかの設計例では、ミューティング情報またはＣＳＩ−ＲＳパターン情報はＵＥ１２０にユニキャストされ得る。
【００５５】
いくつかの設計例では、各ＲＥのミューティングは、個々に可能であり得、したがってＲＥごとにビットマップ中に示され得る。ビットマップは、以下により詳細に記載されるように、ｅＮＢ１１０から各ＵＥ１２０に送信され得る。ＲＥ当たり１ビットを含むビットマップのシグナリングオーバーヘッドを減らし、また、可能なミューティング構成の数を減らするために、ミューティングは、ミューティンググループと呼ばれるＲＥのグループにおいて実行され得る。たとえば、ビットマップ中の単一ビットは、ミューティンググループ内のすべてのＲＥがミューティングされるか否かを示し得る。一般的にいって、異なるミューティンググループは、異なる数のＲＥを有してもよく、重複するＲＥを有してもよい。
【００５６】
いくつかの設計例では、ミューティンググループは、ＣＳＩ−ＲＳなどの基準信号の送信のために使用され得るＲＥのみを備え得る。たとえば、いくつかの設計例では、ミューティンググループは、図３Ｃおよび図４に関して上記で説明した４ポートのＣＳＩ−ＲＳパターンなど、固定数のアンテナポートに対応するＣＳＩ−ＲＳパターンに対応し得る。
【００５７】
いくつかの設計例では、ビットマップは、各アンテナグループのミューティングステータスを示して、送信され得る。一態様では、ミューティングビットマップの送信は、ミューティングにおける十分な柔軟性を与える（すなわち、ミューティングパターンは、ランダムであり得るか、またはビットマップを複数回送信することによってある時間期間にわたって動的に変更され得る）。いくつかの設計例では、ビットマップは、一般性を失わず、１がミューティングされたＲＥ（またはＲＥグループ）の位置を示し得るような、１および０のシーケンスを備え得る。
【００５８】
いくつかの設計例では、ミューティングは、近隣セルにおけるＣＳＩ−ＲＳ送信に対応する位置をミューティングするために使用されることになるので、ベアラセルにおいて使用されるミューティンググループは、近隣セルにおいて可能なＣＳＩ−ＲＳパターンに対応し得る。たとえば、ベアラセルにおけるミューティンググループのすべてが８つのＲＥを含む場合、近隣セルにおいて使用される８つのＴｘ  ＣＳＩ−ＲＳパターンに対応するように、ベアラセルにおけるミューティンググループを選定することが可能である。しかしながら、近隣ｅＮＢ１１０が２ポートＣＳＩ−ＲＳ  ＲＥパターンまたは４ポートＣＳＩ−ＲＳ  ＲＥパターンを使用している場合、ベアラセルにおけるｅＮＢ１１０は、近隣セルの中のＣＳＩ−ＲＳ  ＲＥよりも不必要に高いことがある８つのＲＥのグループにおいてミューティングし得る。
【００５９】
しかしながら、ベアラセルにおいて使用されるミューティンググループが２つのＲＥを備える場合、ミューティンググループは、すべての２ポートＣＳＩ−ＲＳ  ＲＥパターンに対応するように選定され得る。ＣＳＩ−ＲＳリソースパターンのネストプロパティ（すなわち、より多くの数のアンテナポート、たとえば、８または４である場合のＣＳＩ−ＲＳ  ＲＥが、より小さい数のアンテナポート、たとえば、４または２である場合のＣＳＩ−ＲＳ  ＲＥの複数個に対応すること）のために、この選択は、有利なことに、ミューティンググループの選択が、近隣セルにおいて使用される任意のＣＳＩ−ＲＳパターンと一致することを可能にする。したがって、一態様では、２つのＴｘアンテナポートＣＳＩ−ＲＳ  ＲＥに対応するようにベアラセルにおいてミューティンググループを選択することは、より大きいフレ自由度を与え得るが、また、ミューティンググループをシグナリングするためにより大きい量のビットオーバーヘッドを必要とし得る。いくつかの設計例では、すべての可能な４ポート（４つのＴｘ）ＣＳＩ−ＲＳパターンがミューティンググループとして使用され、それにより、ミューティングパターンをシグナリングするのに必要なビット数が低減するが、近隣の１または２アンテナポートのＣＳＩ−ＲＳ送信をするｅＮＢ１１０のＲＥにおけるミューティングについて、４ＲＥのグループの全体をミューティングことを必要とする。
【００６０】
シグナリングオーバーヘッド（たとえば、ミューティングビットマップ）を減らするために、いくつかの設計例では、ミューティングされるＲＥの数の上での下限および上限が、ミューティングが利用されるときはいつでも使用され得る。下限は、０よりも大きくてよく（すなわち、少なくともいくつかのＲＥはミューティングされる）。上限は、ミューティングされ得るすべての可能なＣＳＩ−ＲＳ  ＲＥの数よりも小さくてよい。たとえば、いくつかの設計例では、ミューティングが使用可能であるとき、少なくとも４つのＲＥがミューティングされ、１６個を超えるＲＥはミューティングされない。図３Ａないし図３Ｄおよび図４を参照すると、いくつかの設計例では、６０個までのＲＥが、ＣＳＩ−ＲＳ送信のためのＲＢにおいて利用可能であり、そのうち、上に記載されたように、最大１６個のＲＥがミューティングされ得る。さらに、同時にミューティングされ得るグループの組合せは、他の方法で制限されてもよい。いくつかの設計例では、ミューティングパターンが時間または周波数とともにどのように変化するかに関する情報も示され得る。たとえば、サブバンドビットマップは、どのサブバンドがミューティングされるかを示すことができる。いくつかの設計例では、ミューティングパターンは周期性およびサブフレームインデックスオフセットとともに繰り返され得、周期性およびオフセットはＵＥ１２０にシグナリングされ得る。ミューティング周期性およびオフセットは、ＵＥ１２０が、ミューティングされたＲＥをもつサブフレームを特定するのを助け得る。
【００６１】
いくつかの設計例では、セルの他のパラメータに基づいて、異なるセル（すなわち、異なるｅＮＢ１１０）の、許容されるミューティングパターンおよびＣＳＩ−ＲＳパターンの数、ＣＳＩ−ＲＳ送信のために使用されるポートの数などを制限することは有益であり得る。いくつかの設計例では、ｅＮＢ１１０により使用されることが許されるＣＳＩ−ＲＳおよびミューティング構成は、セルＩＤの関数であり得る。いくつかの設計例では、ｅＮＢ１１０により使用されることを許されるＣＳＩ−ＲＳおよびミューティング構成は、ｅＮＢ１１０の電力クラスの関数であり得、たとえば、マクロｅＮＢ１１０またはピコｅＮＢ１１０またはフェムトｅＮＢ１１０は、異なるミューティングストラテジを使用し得る。たとえば、フェムトセルは、マクロｅＮＢ１１０に対応するＲＥ位置をミューティングし得る。フェムトセルによるそのようなミューティングの１つの理由は、ＵＥ１２０がマクロセルとのＣＳＩ−ＲＳのための良好なチャネルを有することが可能であることを保証することである。同様に、マクロｅＮＢ１１０は、ＵＥ１２０がピコｅＮＢ１１０との良好なチャネルを維持することを可能にするために、ＣＳＩ−ＲＳのためにピコｅＮＢ１１０によって使用されるＲＥをミューティングし得る。
【００６２】
いくつかの設計例では、低減された再利用ファクタ技法（reuse factor technique）が、ミューティングパターンシグナリングオーバーヘッドを低減するために使用され得る。たとえば、図４を参照すると、ＣＳＩ−ＲＳ送信のために利用可能なＲＥは、４つのＴｘの場合に１３個のパターンを備え得、４つのＴｘをもつｅＮＢ１１０は、１３個の利用可能なパターン（「ａ」ないし「ｍ」）のうちの１つを使用することができる。同様に、２つＴｘアンテナをもつｅＮＢ１１０は、２６個の可能なパターン中の１つを使用することができる。このレベルの自由度は、所与の時間においてどのＣＳＩ−ＲＳパターンが使用されているかを示すために、かなりの量のビットの使用を必要とし得る。代替的に、いくつかの設計例では、より少ないアンテナ（たとえば、４つのうちの２つ）をもつｅＮＢ１１０のためのＣＳＩ−ＲＳパターンの数は制限され得る。たとえば、図４を参照すると、４つのＴｘの場合、ｅＮＢ１１０は、ミューティングを、ＲＥ  ｂ１ないしｂ４、ｅ１ないしｅ４、ｇ１ないしｇ４、ｊ１ないしｊ４、ｋ１ないしｋ４およびｍ１ないしｍ４のみに制限することができる。
【００６３】
一態様では、そのような方式は、４つのＴｘの場合のＣＳＩ−ＲＳのための再利用ファクタを減らしたが、（可能なＣＳＩ−ＲＳ割り当てから除外されるＲＥはミューティングされる必要がないので）ミューティングを示すためのシグナリングオーバーヘッドは低減され得る。一態様では、ミューティングパターンをそのようにミューティンググループにグルーピングすること（たとえば、アンテナ「ｂ」に係るすべてのＲＥが一緒にミューティングされる）は、個々のＲＥをシグナリングする代わりに、ＲＥグループが代わりにシグナリングされ得るので、ミューティングパターンをシグナリングするのに必要なビット数を減らすのを助け得る。いくつかの設計例では、上記のように、ミューティンググループはＣＳＩ−ＲＳ  ＲＥパターン（たとえば、図４に示した４ポートＣＳＩ−ＲＳパターン）に対応することがさらに理解される。
【００６４】
マルチキャリアシステムでは、各キャリアのためのミューティングパターンは、独立して制御され得る。いくつかの設計例では、ｅＮＢ１１０およびＵＥ１２０にアプリオリに知られる（known a priori）、ミューティングのいくつかの組合せのみが、キャリアをわたって許容にされ得る。たとえば、いくつかの設計例では、すべてのキャリアのためのミューティングパターンは同じとすることができる。この場合、ミューティングすることのシグナリングは、すべてのキャリアについて共通とすることができる。
【００６５】
再び図５を参照すると、リソースパターン５０１および５０２に示すように、ＲＥがミューティングされたとき、ミューティングに気づいていないレガシー（legacy）ＵＥ１２０は、送信されたビットを正常に受信することが困難であると認め得ることが理解される。いくつかの設計例では、ｅＮＢ１１０は、ＲＥがミューティングされるサブフレームにおける、ミューティングに気づいていないＵＥ１２０のためのデータ送信をスケジュールすることを回避し得る。いくつかの設計例では、それを保証するために、ミューティング動作に気づいていないＵＥ１２０は、依然として、低い変調およびコーディング方式（ＭＣＳ）または低いコーディングレートを用いてＵＥ１２０をスケジュールすることによって、送信されたデータビットを受信するか、あるいは小さいデータ割り当てを有するか、あるいは後の終端をターゲットにすることが可能であり得る。いくつかの設計例では、ｅＮＢ１１０は、ＵＥタイプ、トラフィック優先度／タイプ、コーディングレート、使用されるべきＭＣＳ、データ割り当てグラニュラリティなどに応じて、ミューティング動作のために構成された、いくつかのＵＥ１２０へのデータ送信の中でＲＥをミューティングすることをスキップする一方、他のＵＥ１２０のミューティングを続け得る。
【００６６】
上記で説明したように、ｅＮＢ１１０は、所与のＵＥ１２０が基準信号送信とミューティング動作とに気づいているかどうかを判断し得る。たとえば、その判断は、ＵＥ１２０のリビジョン番号に基づいて、または明示的にＵＥ１２０に問い合わせることに基づいて行われ得る。ｅＮＢ１１０は、ＵＥ１２０が基準信号とミューティング動作とに気づいていると判断すると、ｅＮＢ１１０は、基準信号送信に割り当てられたリソースの枠でレートマッチングまたはパンクチャリングのいずれかを使用し、それに応じてＵＥ１２０にデータを送信し得る。同様に、いくつかの設計例では、ｅＮＢ１１０は、ＵＥ１２０が基準信号（たとえば、ＣＳＩ−ＲＳ）とミューティング動作とに気づいていないと判断すると、ｅＮＢ１１０は、ミューティングされたＲＥの枠でパンクチヤリングすることによってＵＥ１２０にデータを送信し得る。
【００６７】
いくつかの設計例では、ＲＥのミューティングが起こり得ることに気づいているＵＥ１２０は、成功裡に受信された他のサブキャリアに基づいて、受信されたトーンの平均エネルギーを基準レベルと比較することなどの技法を使用することによって、ミューティングされたＲＥの位置を検出し得る。また、他の技法も、当技術分野でよく知られており、それの説明は簡潔のために省略される。
【００６８】
他の関係する態様では、いくつかのＵＥ１２０は、ミューティングおよび／またはＣＳＩ−ＲＳ送信を用いたサブフレーム上で、ＭＣＳを、異なって解釈し得る。ＵＥ１２０のそのような挙動は、ＵＥ１２０のコードプロファイル（たとえば、コードのリリースバージョン）に拠る。たとえば、下りリンクパイロットタイムスロット（ＤｗＰＴｓ）サブフレームでは、判断されたトランスポートブロックサイズは、非ＤｗＰＴｓサブフレームにおいて使用されるＭＣＳテーブルから取得された値のファクタ（たとえば、０．７５）倍であり得る。このスケーリングは、ＤｗＰＴｓサブフレーム中の有用なＲＥの数が小さいので実行され得る。いくつかのＵＥ１２０は、ＲＥがミューティングされるか、または基準信号送信のために使用されるサブフレームにおいて同様の手法を使用し得る。したがって、一態様では、ＵＥ１２０のコードプロファイルは、ＵＥ１２０へのデータ送信のために使用される送信コーディング方式を示し得る。
【００６９】
いくつかの設計例では、その関係する部分が参照により本明細書に組み込まれる、「CHANNEL STATE INFORMATION REFERENCE SIGNALS」と題する同時係属米国特許出願第１３／０３２，５９２号に記載されているように、ＣＳＩ−ＲＳに割り当てられないＲＥは、空間周波数ブロックコーディング（space frequency block coding (SFBC)）またはＳＦＢＣ周波数シフト時間ダイバーシティ（SFBC-frequency shift time diversity (SFBC-FSTD)）コーディングの組合せを使用するデータ送信のために使用され得る。しかしながら、いくつかの設計例では、たとえば、２つのＣＳＩ−ＲＳポートがＣＳＩ−ＲＳ  ＲＥ割り当てのために使用されるとき、サブフレームからのＣＳＩ−ＲＳを含んでいる２つのＯＦＤＭシンボル全体が、ＳＦＢＣ／ＳＦＢＣ−ＦＳＴＤ方式を使用するデータ送信のためには使用され得ない。さらに、上記の米国出願第１３／０３２，５９２号では、ミューティングおよびＣＳＩ−ＲＳが両方ともサブフレーム中に存在し得るとき、いくつかのＯＦＤＭシンボルがＳＦＢＣマッピングのためにスキップされ得るいくつかの設計が開示された。
【００７０】
さらに、いくつかの設計例では、ＳＦＢＣが特定のＵＥ１２０への送信のために使用されるとき、および送信のためのコーディンググループを形成するためにＲＥが他のＲＥとの対にされないとき、グループ化されないＲＥは、特定のＵＥ１２０への送信のためにミューティングされ、データは、グループ化されないでミューティングされたＲＥの周囲で、相応してレートマッチングされ得る。グループ化されない該ＲＥに関するミューティング情報は、特定のＵＥ１２０に送信され得る。
【００７１】
いくつかの設計例では、ＳＦＢＣコーディングされたデータ送信がより頻繁に実行され得るＵＥ１２０の場合、上記で説明した状態とデータＲＥの浪費を回避するミューティングパターンが選択され、ＵＥ１２０にシグナリングされ得る。ＳＦＢＣを頻繁には使用していないＵＥ１２０など、他のＵＥ１２０については、これらのＵＥ１２０が、ＳＦＢＣコーディングを用いてスケジュールされるようになった場合、データＲＥが浪費され得ることを知りながら、実際のミューティングされたＲＥのみがシグナリングされ得る。いくつかの設計例では、データは、ＵＥ１２０にシグナリングされるミューティングパターンに基づいて、各ＵＥ１２０に関してレートマッチングされる。
【００７２】
したがって、いくつかの設計例では、異なるミューティングパターンが、ＵＥ１２０がＳＦＢＣ／ＳＦＢＣ−ＦＳＴＤ方式を使用する可能性に基づいて、異なるＵＥ１２０に送信され得る。いくつかの設計例では、ＵＥ１２０のために選定されたミューティングパターンは、ＳＦＢＣ  ＵＥのために浪費されたＲＥを最小限に抑えるように選定され、たとえば実際のミューティングされたＲＥを含み得る。ｅＮＢ１１０は、ＵＥ１２０のために使用される送信コーディング方式の可能性を示す「コードプロファイル」を、ＵＥ１２０に割り当て得る。たとえば、より新しい（Ｒｅｌ−１０）ＵＥ１２０の場合、コードプロファイルは、ＳＦＢＣ／ＳＦＢＣ−ＦＳＴＤがより頻繁に使用されることを示し得る。ミューティングパターンは、上記で説明したように、コードプロファイルに基づいて選択され、上記で説明されたミューティングパターンを示す方法を用いて、ＵＥ１２０に示され得る。
【００７３】
図６は、ワイヤレス通信のプロセス６００を示すフローチャートである。ブロック６０２において、少なくとも１つのデータリソース要素（ＲＥ）を備える時間−周波数ミューティングパターンを設定される。ミューティングパターンは、上記で開示したいくつかの設計例のうちの１つを使用して設定され得る。ブロック６０４において、時間−周波数ミューティングパターンを示す情報をユーザ機器に送信する。前に説明したように、ミューティングパターンを示す情報は、ユニキャストメッセージまたはブロードキャストメッセージにおいて、ＵＥ１２０に送信され得る。いくつかの設計例では、ミューティングパターンを設定することは、時間−周波数ミューティングパターンがミューティンググループを備えるように、複数のＲＥをミューティンググループにグループ化することを含む。いくつかの設計例では、各ミューティンググループは、ＣＳＩ−ＲＳなどの基準信号パターンに対応するＲＥを備え得る。いくつかの設計例では、ミューティングパターンは、４ポートのＣＳＩ−ＲＳパターンに対応し得る。ミューティンググループの中のＲＥの数は、送信アンテナポートの数（たとえば、１、２、４または８）に基づいてよい。いくつかの設計例では、時間−周波数ミューティングパターンは、基準信号の送信機の電力クラスに基づき得る。
【００７４】
図７は、ワイヤレス通信装置７００の一部分を示すブロック図である。モジュール７０２は、少なくとも１つのデータリソース要素（ＲＥ）を備える時間−周波数ミューティングパターンを設定するためのものである。モジュール７０４は、時間−周波数ミューティングパターンを示す情報をユーザ機器に送信するためのものである。通信装置７００ならびにモジュール７０２および７０４は、前に説明した様々な技法を実装するようにさらに構成され得る。
【００７５】
図８は、ワイヤレス通信のプロセス８００を示すフローチャートである。ブロック８０２において、データは、基準信号とミューティング動作とに割り当てられたリソースの枠でレートマッチングとパンクチャリングとの動作のうちの１つを実行することによって、データリソース上の基準信号送信とミューティング動作とに気づいている第１のユーザ機器に送信される。ブロック８０４において、データは、基準信号とミューティング動作とに割り当てられたリソース上のデータ送信をパンクチヤリングすることによって、基準信号送信とミューティング動作とに気づいていない第２のユーザ機器に送信される。
【００７６】
図９は、ワイヤレス通信装置９００の一部分を示すブロック図である。モジュール９０２は、基準信号とミューティング動作とに割り当てられたリソースの枠でレートマッチングとパンクチャリングとの動作のうちの１つを実行することによって、データリソース上での基準信号送信とミューティング動作とに気づいている第１のユーザ機器にデータを送信するためのものである。モジュール９０４は、基準信号とミューティング動作とに割り当てられたリソース上でのデータ送信をパンクチヤリングすることによって、基準信号送信とミューティング動作とに気づいていない第２のユーザ機器にデータを送信するためのものである。
【００７７】
図１０は、ワイヤレス通信のプロセス１０００を示すフローチャートである。ブロック１００２において、ユーザ機器にコードプロファイルを割り付ける。コードプロファイルは、ＵＥ１２０へのデータ送信のために使用される送信コーディング方式の可能性を示し得る。たとえば、ＵＥ１２０のコードプロファイルが、ＵＥ１２０は空間周波数ブロックコーディング（ＳＦＢＣ）エンコードデータを受信することが可能であると示す場合、ＳＦＢＣは、ＵＥ１２０にデータを送信するために使用され得る。ブロック１００４において、割り付けられたコードプロファイルに基づくリソースミューティングパターンが、ユーザ機器に送信される。
【００７８】
図１１は、ワイヤレス通信装置１１００の一部分を示すブロック図である。モジュール１１０２は、ユーザ機器にコードプロファイルを割り付けるためのものである。モジュール１１０４は、割り付けられたコードプロファイルに基づくリソースミューティングパターンを、ユーザ機器に送信するためのものである。
【００７９】
図１２は、ワイヤレス通信のプロセス１２００を示すフローチャートである。ブロック１２０２において、少なくとも１つのデータリソース要素（ＲＥ）を備える時間−周波数ミューティングパターンに関係する情報が受信される。ブロック１２０４において、時間−周波数ミューティングパターンの中に含まれない送信リソースを使用して、少なくとも１つのデータ送信が受信される。
【００８０】
図１３は、ワイヤレス通信装置１３００の一部分を示すブロック図である。モジュール１３０２は、少なくとも１つのデータリソース要素（ＲＥ）を備える時間−周波数ミューティングパターンに関係する情報を受信するためのものである。モジュール１３０４は、少なくとも１つのデータリソース要素（ＲＥ）を備える時間−周波数ミューティングパターンに関係する情報を受信するためのものである。
【００８１】
図１４は、ワイヤレス通信のプロセス１４００を示すフローチャートである。ブロック１４０２において、基準信号に関係するミューティング情報が受信される。ブロック１４０４において、トランスポートブロックサイズは、受信されたミューティング情報に基づき、スケールファクタを使用して計算される。
【００８２】
図１５は、ワイヤレス通信装置１５００の一部分を示すブロック図である。モジュール１５０２は、基準信号に関係するミューティング情報を受信するためのものである。モジュール１５０４は、受信されたミューティング情報に基づき、スケールファクタを使用して、トランスポートブロックサイズを計算するためのものである。
【００８３】
図１６は、ワイヤレス通信のプロセス１６００を示すフローチャートである。ブロック１６０２において、基準信号の送信のために少なくとも１つのデータリソース要素（ＲＥ）を備える時間−周波数パターンを設定する。基準信号は、たとえば、ＣＳＩ−ＲＳであり得、基準信号パターンは、図３Ａないし図３Ｄおよび図４に示すようなものであり得る。ブロック１６０４において、ユニキャストメッセージの中で、時間−周波数パターンを示す情報をユーザ機器に送信する。いくつかの設計例では、前に説明したように、情報はビットマップを備え得る。
【００８４】
図１７は、ワイヤレス通信装置１７００の一部分を示すブロック図である。モジュール１７０２は、基準信号の送信のために少なくとも１つのデータリソース要素（ＲＥ）を備える時間−周波数パターンを設定するためのものである。モジュール１７０４は、ユニキャストメッセージ中で、時間−周波数パターンを示す情報をユーザ機器に送信するためのものである。
【００８５】
図１８は、ワイヤレス通信のプロセス１８００を示すフローチャートである。ブロック１８０２において、基準信号の送信のための少なくとも１つのデータリソース要素（ＲＥ）を備える時間−周波数パターンを設定する。基準信号は、たとえば、ＣＳＩ−ＲＳであり、基準信号パターンは、図３Ａないし図３Ｄおよび図４に示すようなものであり得る。ブロック１８０４において、ブロードキャストメッセージの中で、時間−周波数パターンを示す情報をユーザ機器に送信する。いくつかの設計例では、前に説明したように、情報はビットマップを備え得る。
【００８６】
図１９は、ワイヤレス通信装置１９００の一部分を示すブロック図である。モジュール１９０２は、基準信号の送信のための少なくとも１つのデータリソース要素（ＲＥ）を備える時間−周波数パターンを設定するためのものである。モジュール１９０４は、ブロードキャストメッセージの中で、時間−周波数パターンを示す情報をユーザ機器に送信するためのものである。
【００８７】
図２０は、ワイヤレス通信のプロセス２０００を示すフローチャートである。ブロック２００２において、ユニキャストメッセージの中で、基準信号の送信のための少なくとも１つのＲＥを備える時間−周波数ミューティングパターンを示す、情報を受信する。情報は、たとえば、ビットマップを備え得る。基準信号は、たとえば、ＣＳＩ−ＲＳであり得る。ブロック２００４において、基準信号は、受信されたメッセージ中に示された少なくとも１つのＲＥの中で受信される。
【００８８】
図２１は、ワイヤレス通信装置２１００の一部分を示すブロック図である。モジュール２１０２は、ユニキャストメッセージの中で、基準信号の送信のための少なくとも１つのリソース要素（ＲＥ）を備える時間−周波数パターンを示す情報を受信するためのものである。モジュール２１０４は、受信されたメッセージの中で示されたＲＥ内で基準信号を受信するためのものである。
【００８９】
図２２は、ワイヤレス通信のプロセス２２００を示すフローチャートである。ブロック２２０２において、基準信号の送信のための少なくとも１つのＲＥを備える時間−周波数ミューティングパターンを示す情報が、ブロードキャストメッセージの中で受信される。情報は、たとえば、ビットマップを備え得る。基準信号は、たとえば、ＣＳＩ−ＲＳであり得る。ブロック２２０４において、基準信号は、受信されたメッセージの中で示された少なくとも１つのＲＥにおいて受信される。
【００９０】
図２３は、ワイヤレス通信装置２３００の一部分を示すブロック図である。モジュール２３０３は、ブロードキャストメッセージ中で、基準信号の送信のための少なくとも１つのリソース要素（ＲＥ）を備える時間−周波数パターンを示す情報を受信するためのものである。モジュール２３０４は、受信されたメッセージの中で示されたＲＥにおいて基準信号を受信するためのものである。
【００９１】
図２４に、本明細書で説明する態様によって、チャネル状態情報基準信号のためにリソースをミューティングすることと、（１つまたは複数の）ミューティング方式または（１つまたは複数の）パターンを搬送するシグナリングとを可能にし、実施することができる他の例示的なシステム２４００のハイレベルブロック図を示す。例示的なシステム２４００では、基地局（ノード、発展型ノードＢ（ｅＮＢ）、サービングｅＮＢ、ターゲットｅＮＢ、フェムトセル基地局、ピコセル基地局とも呼ばれる）２４１０は、無線インターフェース２４３０を介してＵＥ２４４０とデータ（たとえば、パイロットデータ、トラフィックデータ）またはシグナリングを交換し、ユーザ機器２４４０はアクセス端末（端末、ユーザ機器、またはモバイルデバイスとも呼ばれ、上記で説明したＵＥ１２０と同様であり得る）でる。１つまたは複数の実施形態では、無線コンポーネント（図示せず）は、１つまたは複数のアンテナ（図示せず）のセットおよび関連する回路（図示せず）を介してＵＥ２４４０にデータおよび／またはシグナリングを配信する。そのような回路の動作は、少なくとも部分的に、（１つまたは複数の）プロセッサ２４２２によって可能にされ得る。基地局２４１０がＵＥ２４４０に配信するシグナリングの少なくとも一部分は、たとえば、ＣＳＩ−ＲＳパイロットデータ送信のために割り当てるべきリソース（たとえば、ＲＥ）の少なくとも第１のセットと、パイロットデータ送信またはデータ送信のために割り当てるべきでないリソース（たとえば、ＲＥ）の少なくとも第２のセットとを決める時間−周波数ミューティングパターンの形態を決定するなど、ＣＳＩ−ＲＳ  ＲＥのミューティングを決定する情報（たとえば、ペイロードデータ）を搬送する。
【００９２】
ＵＥ２４４０が無線リソースのミューティングの存在下で動作するように構成されるシナリオでは、基地局２４１０は、ミューティングされたトーンの周囲でのレートマッチングすること、またはミューティングされたトーンをパンクチヤリングすることのいずれかを行うことができる。本開示の一態様では、レートマッチングがより良く機能することが予想される。そのようなシナリオでは、ＵＥ２４１０は、レートマッチングまたはパンクチャリングに関連付けられて、基地局２４１０からシグナリングを受信することができる。追加または代替のシナリオでは、無線リソースのミューティングの存在下で動作するように構成されないＵＥには、基地局２１０は、データトーンをパンクチヤリングすることができる。
【００９３】
時間−周波数ミューティングパターンは、静的、半静的、または動的のうちの１つとすることができる。静的な時間−周波数ミューティングパターンの例では、マクロ基地局のＣＳＩ−ＲＳスペクトル位置は制限され得るが、低電力基地局（たとえば、ｅＮＢ、フェムトセル、ピコセル、Ｗｉ−Ｆｉ  ＡＰ）のＣＳＩ−ＲＳスペクトル位置は、常に、または実質的に常に、１つまたは複数のマクロ基地局に割り付けられたＣＳＩ−ＲＳスペクトル位置の少なくとも一部分（たとえば、すべて）をミューティングすることができる。本発明の一態様では、マクロ基地局によってサービスされるＵＥが低電力基地局のカバレージに入ったときに（たとえば、その時間に、またはその時間の後に）、時間−周波数ミューティングパターンがトリガされるか、またはその効果を受け得る。図示の実施形態では、ミューティングコンポーネント２４１４は、ミューティングパターンを、静的、半静的、または動的のうちの１つであると決定することができる。ミューティングされたスペクトル位置については、パイロットデータ送信あるいはデータ送信が許可されないことが理解される。
【００９４】
さらに、基地局２４１０は、
（ｉ）その動作形態が、より弱いセル（たとえば、基地局２４１０の送信電力よりも低い電力で送信する基地局によってサービスされるセル）のＣＳＩ−ＲＳの測定値を含むような、基地局２４１０のカバレージエリアの中のＵＥ２４４０または他のＵＥの動作形態、
（ｉｉ）近隣セルのＵＥフィードバック、
（ｉｉｉ）異なる基地局間のバックホール通信、たとえば、通信、
（ｉｖ）シグナリングコンポーネント２４１８の一部、または上記で言及した無線コンポーネントとであることができるスキャナコンポーネント（図示せず）によって達成され得る、近傍のｅＮＢリスニング、
のうちの少なくとも１つに基づいて、パイロットデータを送信すべきＣＳＩ−ＲＳリソースのスペクトル（周波数、時間、または時間−周波数）位置と、ミューティング（たとえば、いかなるデータ（パイロットデータ、トラフィックなど）も送信しない）するスペクトル位置を決定することができる。図示の実施形態では、ミューティングコンポーネント２４１４は、上述のように、ＣＳＩ−ＲＳリソースのスペクトル位置を決定することができる。
【００９５】
基地局２４１０が、より弱いセル、またはより弱い基地局のすべてのＣＳＩ−ＲＳスペクトル位置をミューティングすることを回避することができることが理解される。代わりに、基地局２４１０は、時間領域または周波数領域において部分的にスペクトル位置をミューティングすることができ、ミューティングされるスペクトル位置は、時間が進行するにつれて異なるスペクトル位置を占有しながら、継時的に進展する。一例として、基地局２４１０は、ミューティングコンポーネント２４１４を介して、特定のサブバンドにおいて１つまたは複数のＣＳＩ−ＲＳ  ＲＥの組をミューティングすることができる。時間−周波数ミューティングパターンは、シグナリングオーバーヘッドを低減するために、選択された組のサブバンドにわたって同じとすることができるが、それは、一般的には、それは異なり得る。他の例として、基地局２４１０は、交互のＣＳＩ−ＲＳサブフレーム上でＲＥをミューティングすることができる。さらに他の例として、基地局２４１０は、１つのサブフレームにおける１つのセル（たとえば、より弱いセル）の、および、後続のＣＳＩ−ＲＳサブフレームなどにおける異なるセル（異種のより弱いセル）のＣＳＩ−ＲＳ  ＲＥをミューティングすることができる。
【００９６】
いくつかの設計例では、前に説明したように、ＣＳＩ−ＲＳリソースパターンまたはミューティングパターンを含むことができる時間−周波数パターンは、基地局２４１０の電力クラスに基づいて設定され得る。たとえば、基地局２４１０がマクロセルをサービスするシナリオでは、基地局２４１０は、１つまたは複数のＣＳＩ−ＲＳリソースまたはスペクトル位置の組を利用することを許されるか、あるいはそのように構成され得る。同様に、基地局２４１０がピコセルまたはフェムトセルであるシナリオでは、基地局２４１０は、スペクトル位置の１つまたは複数のＣＳＩ−ＲＳリソースの異なる組を利用することを許される。したがって、１つまたは複数のシナリオでは、マクロセルをサービスする基地局は、フェムトセルのＣＳＩ−ＲＳスペクトル位置をミューティングすることを回避することができ、一態様では、そのフェムトセルは、常にすべての可能なマクロＣＳＩ−ＲＳロケーションをミューティングするように要求される。
【００９７】
スペクトル位置または無線リソースのセットをミューティングすることを可能にする時間−周波数パターンを特徴づける様々な特徴は、本開示の以下の態様にしたがって、シグナリングコンポーネント２４１８を介してシグナリングされ得る。ＣＳＩ−ＲＳパターンおよびミューティングパターン、ＣＳＩ−ＲＳポートの数、ミューティングされるトーンの数などは、ＲＲＣシグナリングを使用してシグナリングされ得、たとえば、そのような情報を搬送するデータは、システム情報ブロック（ＳＩＢ）メッセージなど、ブロードキャストチャネル中に含められ、ブロードキャストチャネルを介して配信され得る。さらに、そのような情報は、ＵＥ２４４０または任意の他のＵＥにユニキャストされ得る。ビットマップは、ミューティングにおける十分な自由度を与える各グループのミューティングステータスを示すことができる。一態様では、８つのアンテナの場合、ビットマップは、ＣＳＩ−ＲＳのために利用可能な無線リソースの６つの実現性に対応して、６ビットを含むことができる（たとえば、図３Ｄを参照）。同様に、４つのスペクトル位置のグループの場合、１３ビットをもつビットマップは、時間−周波数ミューティングパターンを特定することができるが、２６ビットビットマップは、スペクトル位置が２つのスペクトル位置からなるグループにおいて適応されるとき、様々な時間−周波数ミューティングパターンを特定することができる。
【００９８】
さらに、シグナリングオーバーヘッドを低減するために、シグナリングコンポーネント２４１８は、ミューティングされたＲＥの数に対して下限および上限を課することができ、そのような下限および上限は、ネットワーク事業者によって構成可能であるか、あるいはネットワーク負荷状態に基づいてシグナリングコンポーネント２４１８によって自動的にまたは自律的に決定される。たとえば、ミューティングは、１６個のＲＥを上回るスペクトル位置のミューティングなしに、少なくとも４個のＲＥと１６個のＲＥとの間の間隔内で実施され得る。さらに、同時にミューティングされ得るグループの組合せは、他の方法で制限され得、シグナリングコンポーネント２４１８はまた、そのような制限を課することができる。他の態様では、ＣＳＩ−ＲＳスペクトル位置のミューティングまたはポート解釈（ports interpretation）の数は、基地局２４１０の異なるセルＩＤまたは電力クラスに対して異なるとすることができる。その上、シグナリングコンポーネント２４１８はまた、時間−周波数ミューティングパターンが時間とともに、または周波数領域においてどのように変化または進展するかを特徴づけるかあるいは決定する情報を配信することができる。一例として、ビットマップは、どのサブバンドがミューティングされるかを示すことができる。
【００９９】
低減された再利用ファクタは、シグナリングオーバーヘッドを低減する。図３Ａないし図３Ｄおよび図４において提示された例示的なＣＳＩ−ＲＳパターンでは、４個のＴｘアンテナをもつｅＮＢは、１３個のパターンのうちの１つを利用することができるが、２個のＴｘをもつｅＮＢは、２６個のパターン中の１つを利用することができる。上述のように、一例では、１３ビットのビットマップは１３個のパターンの中の１つの選択肢を特定することができ、一方、２６ビットのマップは２６個のパターンの中の１つの選択肢を特定することができる。代替として、基地局２４１０は、より少数のアンテナをもつｅＮＢに係るＣＳＩ−ＲＳパターンの数を制限することができ、たとえば、基地局（たとえば、２１０）における４つのＴｘアンテナの場合、ミューティングコンポーネント２４１４は、スペクトル位置のミューティングを、図３Ａないし図３Ｄにおいて強調されたインデックス（underscore indices）が符号とされないスペクトル位置のみに制限することができる。そのような制限は、４つのＴｘの場合のＣＳＩ−ＲＳのための再利用ファクタを減らすことができるが、６の再利用ファクタが十分である場合、これはミューティングを用いたシグナリングオーバーヘッドを減らすことを可能にする。
【０１００】
少なくとも上記した例示的なシステムに基づいて、開示される主題に従って実装され得る他の例示的な方法は、本開示の態様に従ったＣＳＩ−ＲＳのためのリソースをミューティングするための例示的な方法２５００のフローチャートを提示する図２５を参照すると、より良く理解され得る。説明を簡単にするために、この中に記載される方法（たとえば、１つまたは複数の例示的な方法の組）は、一連の動作として示され、記載されるが、いくつかの動作は、１つまたは複数の態様にしたがって、この中に示され、記載される順序とは異なる順序で、および／または他の動作と同時に行われ得るように、本方法は動作の順序によって限定されないことを理解および認識されたい。たとえば、本開示で記載された方法の中の１つまたは複数の例示的な方法は、状態図またはコールフロー（call flow）などで、一連の相互に関連する状態またはイベントとして代替的に表現され得ることを理解および認識されよう。さらに、本開示の様々な態様にしたがってこの中に記載される方法の一部である方法を実装するために、図示のすべての動作が利用され得るとは限らない。本開示の実装を通じて達成され得る１つまたは複数の利点を達成するために、様々な方法と開示した方法とをいくつかの方法で組み合わせ得る。
【０１０１】
ブロック２５１０において、チャネル状態情報（ＣＳＩ）基準信号（ＲＳ）の時間−周波数ミューティングパターンが設定される。上記のように、時間−周波数ミューティングパターンは、ＣＳＩ−ＲＳパイロットデータ送信のために割り当てるべきリソース（たとえば、ＲＥ）の少なくとも第１の組と、パイロットデータ送信またはデータ送信のために割り当てるべきでないリソース（たとえば、ＲＥ）の少なくとも第２の組とを決定する。一態様では、時間−周波数ミューティングパターンを設定することは、マルチキャリアシステムにおける少なくとも１つのキャリアのために、ＣＳＩ−ＲＳの時間−周波数ミューティングパターンを決定することを含む。他の態様では、時間−周波数ミューティングパターンを設定することは、時間−周波数ミューティングパターンを利用する基地局の電力クラスを確認することと、少なくとも基地局の電力クラスに基づいてＣＳＩ−ＲＳリソースの第１の組とＣＳＩ−ＲＳリソースの第２の組とを選択することとを含む。ブロック２５２０において、時間−周波数ミューティングパターンがシグナリングされる。シグナリングは、ミューティングパターンのスペクトル構造を搬送する様々な（１つまたは複数の）ビットマップを含むことができ、そのような構造は、ミューティングを実施する基地局の送信アンテナの数に少なくとも部分的に依存し得る。一態様では、時間−周波数ミューティングパターンをシグナリングすることは、ブロードキャストメッセージまたはユニキャストメッセージのうちの少なくとも１つにおいて時間−周波数ミューティングパターンの指示子を配信することを含む。他の態様では、時間−周波数ミューティングパターンをシグナリングすることは、リソースの第１の組とリソースの第２の組とを特定するビットマップを配信することを含む。ブロック２５３０において、ＣＳＩ−ＲＳは、時間−周波数ミューティングパターンに従って送信される。
【０１０２】
図２６は、ＣＳＩ−ＲＳのためのリソースをミューティングすることと、（１つまたは複数の）ミューティング方式あるいは（１つまたは複数の）パターンを搬送するシグナリングを配信することとに関して本開示の様々な態様を可能にし、利用する例示的なシステム２６００のブロック図である。例示的なシステム２６００は、ＣＳＩ−ＲＳの時間−周波数ミューティングパターンを設定するための電子回路（回路とも呼ばれる）２６１０を含む。さらに、例示的なシステム２６００は、時間−周波数ミューティングパターンをシグナリングするための回路２６２０を含む。さらに、例示的なシステム２６００は、時間−周波数ミューティングパターンに従ってＣＳＩ−ＲＳを送信するための回路を含む。例示的なシステム２６００は、記載された回路の一部とすることができる少なくとも１つのプロセッサによって実行されたとき、この中に記載された無線ベアラマッピングに関して、この中に記載された様々な態様または特徴を実装するか、あるいは可能にするコード命令の１つまたは複数の組を格納することができるメモリ２６６０をも含む。一態様では、メモリ２６６０は、ＣＳＩ−ＲＳに割り付けられ、少なくとも１つの時間−周波数ミューティングパターンを設定するために利用され得るリソース要素の１つまたは複数のグループを定義するデータ、および時間−周波数ミューティングパターンを特定するビットマップを含む。他の態様では、メモリ２６６０は、本開示の態様に従った例示的なシステム２６００における様々な回路の機能を、少なくとも部分的に、可能にするために、少なくとも１つのプロセッサによって実行され得る様々なコード命令を含むことができる。少なくとも１つのプロセッサは、例示的な本システム２６００の一部である回路の間で分散され得る。
【０１０３】
インターフェース２６７０は、例示的なシステム２６００の様々な回路ブロックの間でのデータ（たとえば、コード命令、パラメータ．．．）のやり取りを可能にする。少なくともそのような目的で、インターフェース２６７０は、（１つまたは複数の）メモリバス、（１つまたは複数の）アドレスバス、（１つまたは複数の）メッセージバス、ワイヤードおよびワイヤレスリンクなどの様々なアーキテクチャを含むことができる。
【０１０４】
要約すれば、ＲＥをミューティングするための様々な技法が開示される。一態様では、データ送信のために利用可能なＲＥの組が、近隣セルにおける基準信号送信との干渉を緩和するためにミューティングされる。いくつかの設計例では、ミューティングされるＲＥは、ミューティングパターンの中で設定され、ミューティングパターンはユーザ機器に送信される。
【０１０５】
いくつかの設計例では、ミューティングパターンは、ミューティンググループを使用して指定され、それによって、ミューティングパターンを記述するのに必要なビット数を有利に低減することが認識される。いくつかの設計例では、ミューティンググループは、基準信号送信に割り当て可能なパターンに対応する。特定の例として、ＣＳＩ−ＲＳのための４ポート（４個のＴｘ）からなる送信グループがミューティンググループとして使用され得る。
【０１０６】
また、ＵＥ１２０によるデータの受信を有効にするためのデータパンクチャリングおよびデータレートマッチングの使用が開示されることが認識される。ミューティング動作に気づいておらず、したがって、ミューティングされたＲＥにおけるデータ送信を期待しているＵＥ１２０の場合、データ送信は、ミューティングされたＲＥの枠でパンクチャされ得る。ミューティング動作に気づいているＵＥ１２０の場合、ミューティングされた位置の枠で、レートマッチングすることによって、またはパンクチヤリングすることによって、データ送信が実行され得る。
【０１０７】
開示されたプロセスにおけるステップの特定の順序または階層は、例示的な手法の一例であることを理解されたい。設計の選好に基づいて、プロセス中のステップの特定の順序または階層は本開示の範囲内にあって、再構成され得ることを理解されたい。添付の方法クレームは、様々なステップの要素を例示的な順序で提示したものであり、提示された特定の順序または階層に限定されるものではない。
【０１０８】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁場または磁性粒子、光場または光粒子、あるいはそれらの任意の組合せによって表され得る。
【０１０９】
「例示的」という単語は、本明細書では、例、事例、または例示の働きをすることを意味するために使用される。「例示的」として本明細書で説明するいかなる態様または設計も、必ずしも他の態様または設計よりも好ましいまたは有利なものと解釈すべきではない。
【０１１０】
さらに、本明細書で開示する実施形態に関して説明する様々な例示的な論理ブロック、モジュール、回路、およびアルゴリズムステップは、電子ハードウェア、コンピュータソフトウェア、または両方の組合せとして実装され得ることを、当業者に認識されよう。ハードウェアとソフトウェアのこの互換性を明確に示すために、様々な例示的なコンポーネント、ブロック、モジュール、回路、およびステップを、上記では一般化してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０１１１】
本明細書で開示する実施形態（たとえば、送信機、受信機、割付け器（assigner）、設定器（establisher）、データレートマッチャ（data rate matcher）、データパンクチャラ（data puncturer）、計算器、情報受信機、データ受信機など）に関して説明する様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１２】
１つまたは複数の例示的な実施形態では、説明した機能はハードウェア、ソフトウェア、ファームウェア、またはそれらの任意の組合せで実装され得る。ソフトウェアで実装した場合、機能は、コンピュータ可読媒体上に格納されるか、あるいはコンピュータ可読媒体上に１つまたは複数の命令またはコードとして符号化され得る。コンピュータ可読媒体はコンピュータ格納媒体を含む。格納媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または格納するために使用され得、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１１３】
開示する実施形態の前述の説明は、当業者が本開示を実施または使用できるようにするために与えたものである。これらの実施形態への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示する原理および新規の特徴に一致する最も広い範囲を与られるべきである。
【図１】
2013527670.tif 000003
【図２】
2013527670.tif 000004
【図３Ａ】
2013527670.tif 000005
【図３Ｂ】
2013527670.tif 000006
【図３Ｃ】
2013527670.tif 000007
【図３Ｄ】
2013527670.tif 000008
【図４】
2013527670.tif 000009
【図５】
2013527670.tif 000010
【図６】
2013527670.tif 000011
【図７】
2013527670.tif 000012
【図８】
2013527670.tif 000013
【図９】
2013527670.tif 000014
【図１０】
2013527670.tif 000015
【図１１】
2013527670.tif 000016
【図１２】
2013527670.tif 000017
【図１３】
2013527670.tif 000018
【図１４】
2013527670.tif 000019
【図１５】
2013527670.tif 000020
【図１６】
2013527670.tif 000021
【図１７】
2013527670.tif 000022
【図１８】
2013527670.tif 000023
【図１９】
2013527670.tif 000024
【図２０】
2013527670.tif 000025
【図２１】
2013527670.tif 000026
【図２２】
2013527670.tif 000027
【図２３】
2013527670.tif 000028
【図２４】
2013527670.tif 000029
【図２５】
2013527670.tif 000030
【図２６】
2013527670.tif 000031
【国際調査報告】
2013527670.tif 000032
2013527670.tif 000033
2013527670.tif 000034
2013527670.tif 000035
2013527670.tif 000036
2013527670.tif 000037
2013527670.tif 000038
2013527670.tif 000039